(57)【要約】  ワイヤレス通信のための方法、システム、およびデバイスについて記載する。無認可無線周波数スペクトル帯域中での狭帯域通信のためのリソースは、リソース利用可能性、規制制約、およびデバイス能力またはカテゴリに基づいて構成され、割り振られ得る。マシンタイプ通信デバイスまたは他の比較的低複雑デバイスなどの狭帯域ワイヤレスデバイスが、無認可スペクトル帯域中の1つのトーンと複数のリソースブロックとの間を占め得る1つまたは複数の狭帯域キャリア(たとえば、1つのトーンと複数のリソースブロック(RB)との間の任意の数のリソース)を使って通信することができる。異なるデバイスタイプは、したがって、地理的領域の間を移動するとき、異なるように構成される場合がある。基地局は次いで、リソース割振りおよびキャリア構成に基づいて狭帯域モバイルデバイスと通信することができる。
2019532558.tif 000002
【特許請求の範囲】
【請求項１】
ワイヤレス通信のための方法であって、
無認可無線周波数スペクトル帯域の第1の狭帯域領域中の第1のキャリアのリソース上で構成メッセージを受信するステップと、
前記構成メッセージに少なくとも部分的に基づいて、前記無認可無線周波数スペクトル帯域の異なる狭帯域領域中に各々がある1つまたは複数の追加キャリアの構成を識別するステップと、
前記第1のキャリアのリソース上で、前記無認可無線周波数スペクトル帯域の前記異なる狭帯域領域中の前記1つまたは複数の追加キャリア上でのリソースの割当てを受信するステップと、
前記割当てに従って、前記無認可無線周波数スペクトル帯域の前記異なる狭帯域領域中の前記1つまたは複数の追加キャリア上で通信するステップとを含む方法。
【請求項２】
前記1つまたは複数の追加キャリアは互いに隣接する、請求項1に記載の方法。
【請求項３】
前記第1の狭帯域領域中の前記第1のキャリアのリソース上でアップリンクメッセージを送信するステップをさらに含む、請求項1に記載の方法。
【請求項４】
前記第1のキャリアのリソース上で、ワイヤレスデバイスの能力またはカテゴリの指示を送信するステップをさらに含み、前記1つまたは複数の追加キャリアの前記構成は、前記ワイヤレスデバイスの前記能力またはカテゴリに少なくとも部分的に基づく、請求項1に記載の方法。
【請求項５】
前記構成の中の前記1つまたは複数の追加キャリアの数は、前記ワイヤレスデバイスの前記能力またはカテゴリに少なくとも部分的に基づく、請求項4に記載の方法。
【請求項６】
前記リソースの割当てを受信するステップは、
前記ワイヤレスデバイスの前記能力またはカテゴリに少なくとも部分的に基づくフォーマットを有するダウンリンク制御メッセージを受信するステップを含む、請求項4に記載の方法。
【請求項７】
前記1つまたは複数の追加キャリア上で通信するステップは、
前記1つまたは複数の追加キャリアの前記リソース上でダウンリンクデータメッセージを受信するステップを含み、前記ダウンリンクデータメッセージのフォーマットは、前記ワイヤレスデバイスの前記能力またはカテゴリに少なくとも部分的に基づく、請求項4に記載の方法。
【請求項８】
前記第1のキャリアのリソース上でアップリンク制御メッセージを送信するステップをさらに含み、前記アップリンク制御メッセージのフォーマットは、前記ワイヤレスデバイスの前記能力またはカテゴリに少なくとも部分的に基づく、請求項4に記載の方法。
【請求項９】
前記1つまたは複数の追加キャリア上で通信するステップは、
前記1つまたは複数の追加キャリアの前記リソース上でアップリンク制御メッセージまたはアップリンクデータメッセージを送信するステップを含み、前記アップリンク制御メッセージまたは前記アップリンクデータメッセージのフォーマットは、前記ワイヤレスデバイスの前記能力またはカテゴリに少なくとも部分的に基づく、請求項4に記載の方法。
【請求項１０】
各狭帯域領域の帯域幅は、12個のロングタームエボリューション(LTE)サブキャリア(1RB)の帯域幅を含む、請求項1に記載の方法。
【請求項１１】
前記第1のキャリアのリソース上でシステム情報ブロードキャストメッセージを受信するステップと、
前記システム情報ブロードキャストメッセージに少なくとも部分的に基づいて、前記無認可無線周波数スペクトル帯域の前記異なる狭帯域領域を識別するステップとをさらに含む、請求項1に記載の方法。
【請求項１２】
前記第1のキャリアのリソースを使ってランダムアクセス手順を実施するステップをさらに含み、前記構成メッセージは前記ランダムアクセス手順中に受信される、請求項1に記載の方法。
【請求項１３】
前記第1のキャリアのリソース上で1つまたは複数の同期信号を受信するステップをさらに含む、請求項1に記載の方法。
【請求項１４】
前記1つまたは複数の同期信号に少なくとも部分的に基づいて、前記無認可無線周波数スペクトル帯域の前記第1の狭帯域領域のロケーションを識別するステップをさらに含む、請求項13に記載の方法。
【請求項１５】
前記1つまたは複数の同期信号を受信したことに少なくとも部分的に基づいて、基地局が、前記無認可無線周波数スペクトル帯域の前記第1の狭帯域領域および前記異なる狭帯域領域へのアクセスを得たと判断するステップと、
前記基地局が前記第1の狭帯域領域および前記異なる狭帯域領域へのアクセスを得たと判断したことに少なくとも部分的に基づいて、1つまたは複数の無線周波数(RF)チェーンを、前記異なる狭帯域領域の周波数に同調させるステップとをさらに含む、請求項13に記載の方法。
【請求項１６】
無線リソース制御(RRC)アイドルモードで動作する間、前記1つまたは複数の同期信号を監視するステップをさらに含む、請求項15に記載の方法。
【請求項１７】
前記1つまたは複数の同期信号は、1次同期信号(PSS)および2次同期信号(SSS)を含む、請求項13に記載の方法。
【請求項１８】
ワイヤレス通信のための方法であって、
無認可無線周波数スペクトル帯域の第1の狭帯域領域中の第1のキャリアのリソース上で、構成メッセージを第1のワイヤレスデバイスに送信するステップであって、前記構成メッセージは、前記無認可無線周波数スペクトル帯域の異なる狭帯域領域中に各々がある追加キャリアの第1のセットの構成を識別する、ステップと、
前記第1のキャリアのリソース上で前記第1のワイヤレスデバイスに、前記無認可無線周波数スペクトル帯域の前記異なる狭帯域領域中の追加キャリアの前記第1のセット上でのリソースの割当てを送信するステップと、
前記割当てに従って、前記無認可無線周波数スペクトル帯域の前記異なる狭帯域領域中の追加キャリアの前記第1のセット上で前記第1のワイヤレスデバイスと通信するステップとを含む方法。
【請求項１９】
前記無認可無線周波数スペクトル帯域の前記第1の狭帯域領域中の前記第1のキャリア上で、第2のワイヤレスデバイスに追加構成メッセージを送信するステップをさらに含み、前記追加構成メッセージは、各々が異なる狭帯域領域である追加キャリアの第2のセットの構成を識別する、請求項18に記載の方法。
【請求項２０】
追加キャリアの前記第1のセットの各キャリアは、追加キャリアの前記第1のセットの別のキャリアに隣接する、請求項18に記載の方法。
【請求項２１】
前記第1の狭帯域領域中の前記第1のキャリアのリソース上で前記第1のワイヤレスデバイスからアップリンクメッセージを受信するステップをさらに含む、請求項18に記載の方法。
【請求項２２】
前記第1のキャリアのリソース上で前記第1のワイヤレスデバイスの能力またはカテゴリの指示を受信するステップをさらに含み、追加キャリアの前記第1のセットの前記構成は、前記第1のワイヤレスデバイスの前記能力またはカテゴリに少なくとも部分的に基づく、請求項18に記載の方法。
【請求項２３】
前記構成の中の追加キャリアの前記第1のセット中のキャリアの数は、前記第1のワイヤレスデバイスの前記能力またはカテゴリに少なくとも部分的に基づく、請求項22に記載の方法。
【請求項２４】
前記リソースの割当てを送信するステップは、
前記第1のワイヤレスデバイスの前記能力またはカテゴリに少なくとも部分的に基づくフォーマットを有するダウンリンク制御メッセージを送信するステップを含む、請求項22に記載の方法。
【請求項２５】
追加キャリアの前記第1のセット上で通信するステップは、
追加キャリアの前記第1のセットの前記リソース上でダウンリンクデータメッセージを送信するステップを含み、前記ダウンリンクデータメッセージのフォーマットは、前記第1のワイヤレスデバイスの前記能力またはカテゴリに少なくとも部分的に基づく、請求項22に記載の方法。
【請求項２６】
前記第1のキャリアのリソース上でアップリンク制御メッセージを受信するステップをさらに含み、前記アップリンク制御メッセージのフォーマットは、前記第1のワイヤレスデバイスの前記能力またはカテゴリに少なくとも部分的に基づく、請求項22に記載の方法。
【請求項２７】
追加キャリアの前記第1のセット上で通信するステップは、
追加キャリアの前記第1のセットの前記リソース上でアップリンク制御メッセージまたはアップリンクデータメッセージを受信するステップを含み、前記アップリンク制御メッセージまたは前記アップリンクデータメッセージのフォーマットは、前記第1のワイヤレスデバイスの前記能力またはカテゴリに少なくとも部分的に基づく、請求項22に記載の方法。
【請求項２８】
前記第1のキャリアのリソース上でシステム情報ブロードキャストメッセージを送信するステップをさらに含み、前記システム情報ブロードキャストメッセージは、前記無認可無線周波数スペクトル帯域の前記異なる狭帯域領域を識別する、請求項18に記載の方法。
【請求項２９】
前記第1のキャリアのリソースを使って、前記第1のワイヤレスデバイスとのランダムアクセス手順を実施するステップをさらに含み、前記構成メッセージは、前記ランダムアクセス手順中に送信される、請求項18に記載の方法。
【請求項３０】
前記第1のキャリアのリソース上で1つまたは複数の同期信号を送信するステップをさらに含む、請求項18に記載の方法。
【請求項３１】
ワイヤレス通信のための装置であって、
プロセッサと、
前記プロセッサと電子通信しているメモリと、
前記メモリに記憶された命令とを備え、前記命令は、前記プロセッサによって実行されると、前記装置に、
無認可無線周波数スペクトル帯域の第1の狭帯域領域中の第1のキャリアのリソース上で構成メッセージを受信させ、
前記構成メッセージに少なくとも部分的に基づいて、前記無認可無線周波数スペクトル帯域の異なる狭帯域領域中に各々がある1つまたは複数の追加キャリアの構成を識別させ、
前記第1のキャリアのリソース上で、前記無認可無線周波数スペクトル帯域の前記異なる狭帯域領域中の前記1つまたは複数の追加キャリア上でのリソースの割当てを受信させ、
前記割当てに従って、前記無認可無線周波数スペクトル帯域の前記異なる狭帯域領域中の前記1つまたは複数の追加キャリア上で通信させるように動作可能である、装置。
【請求項３２】
ワイヤレス通信のための装置であって、
プロセッサと、
前記プロセッサと電子通信しているメモリと、
前記メモリに記憶された命令とを備え、前記命令は、前記プロセッサによって実行されると、前記装置に、
無認可無線周波数スペクトル帯域の第1の狭帯域領域中の第1のキャリアのリソース上で、構成メッセージを第1のワイヤレスデバイスに送信することであって、前記構成メッセージは、前記無認可無線周波数スペクトル帯域の異なる狭帯域領域中に各々がある追加キャリアの第1のセットの構成を識別する、ことと、
前記第1のキャリアのリソース上で前記第1のワイヤレスデバイスに、前記無認可無線周波数スペクトル帯域の前記異なる狭帯域領域中の追加キャリアの前記第1のセット上でのリソースの割当てを送信することと、
前記割当てに従って、前記無認可無線周波数スペクトル帯域の前記異なる狭帯域領域中の追加キャリアの前記第1のセット上で前記第1のワイヤレスデバイスと通信することとを行わせるように動作可能である、装置。
【請求項３３】
システムにおけるワイヤレス通信のための装置であって、
無認可無線周波数スペクトル帯域の第1の狭帯域領域中の第1のキャリアのリソース上で構成メッセージを受信するための手段と、
前記構成メッセージに少なくとも部分的に基づいて、前記無認可無線周波数スペクトル帯域の異なる狭帯域領域中に各々がある1つまたは複数の追加キャリアの構成を識別するための手段と、
前記第1のキャリアのリソース上で、前記無認可無線周波数スペクトル帯域の前記異なる狭帯域領域中の前記1つまたは複数の追加キャリア上でのリソースの割当てを受信するための手段と、
前記割当てに従って、前記無認可無線周波数スペクトル帯域の前記異なる狭帯域領域中の前記1つまたは複数の追加キャリア上で通信するための手段とを備える装置。
【請求項３４】
前記1つまたは複数の追加キャリアは互いに隣接する、請求項33に記載の装置。
【請求項３５】
前記第1の狭帯域領域中の前記第1のキャリアのリソース上でアップリンクメッセージを送信するための手段をさらに備える、請求項33に記載の装置。
【請求項３６】
前記第1のキャリアのリソース上で、ワイヤレスデバイスの能力またはカテゴリの指示を送信するための手段をさらに備え、前記1つまたは複数の追加キャリアの前記構成は、前記ワイヤレスデバイスの前記能力またはカテゴリに少なくとも部分的に基づく、請求項33に記載の装置。
【請求項３７】
前記構成の中の前記1つまたは複数の追加キャリアの数は、前記ワイヤレスデバイスの前記能力またはカテゴリに少なくとも部分的に基づく、請求項36に記載の装置。
【請求項３８】
前記ワイヤレスデバイスの前記能力またはカテゴリに少なくとも部分的に基づくフォーマットを有するダウンリンク制御メッセージを受信するための手段をさらに備える、請求項36に記載の装置。
【請求項３９】
前記1つまたは複数の追加キャリアの前記リソース上でダウンリンクデータメッセージを受信するための手段をさらに備え、前記ダウンリンクデータメッセージのフォーマットは、前記ワイヤレスデバイスの前記能力またはカテゴリに少なくとも部分的に基づく、請求項36に記載の装置。
【請求項４０】
前記第1のキャリアのリソース上でアップリンク制御メッセージを送信するための手段をさらに備え、前記アップリンク制御メッセージのフォーマットは、前記ワイヤレスデバイスの前記能力またはカテゴリに少なくとも部分的に基づく、請求項36に記載の装置。
【請求項４１】
前記1つまたは複数の追加キャリアの前記リソース上でアップリンク制御メッセージまたはアップリンクデータメッセージを送信するための手段をさらに備え、前記アップリンク制御メッセージまたは前記アップリンクデータメッセージのフォーマットは、前記ワイヤレスデバイスの前記能力またはカテゴリに少なくとも部分的に基づく、請求項36に記載の装置。
【請求項４２】
各狭帯域領域の帯域幅は、12個のロングタームエボリューション(LTE)サブキャリア(1RB)の帯域幅を含む、請求項33に記載の装置。
【請求項４３】
前記第1のキャリアのリソース上でシステム情報ブロードキャストメッセージを受信するための手段と、
前記システム情報ブロードキャストメッセージに少なくとも部分的に基づいて、前記無認可無線周波数スペクトル帯域の前記異なる狭帯域領域を識別するための手段とをさらに備える、請求項33に記載の装置。
【請求項４４】
前記第1のキャリアのリソースを使ってランダムアクセス手順を実施するための手段をさらに備え、前記構成メッセージは前記ランダムアクセス手順中に受信される、請求項33に記載の装置。
【請求項４５】
前記第1のキャリアのリソース上で1つまたは複数の同期信号を受信するための手段をさらに備える、請求項33に記載の装置。
【請求項４６】
前記1つまたは複数の同期信号に少なくとも部分的に基づいて、前記無認可無線周波数スペクトル帯域の前記第1の狭帯域領域のロケーションを識別するための手段をさらに備える、請求項45に記載の装置。
【請求項４７】
前記1つまたは複数の同期信号を受信したことに少なくとも部分的に基づいて、基地局が、前記無認可無線周波数スペクトル帯域の前記第1の狭帯域領域および前記異なる狭帯域領域へのアクセスを得たと判断するための手段と、
前記基地局が前記第1の狭帯域領域および前記異なる狭帯域領域へのアクセスを得たと判断したことに少なくとも部分的に基づいて、1つまたは複数の無線周波数(RF)チェーンを、前記異なる狭帯域領域の周波数に同調させるための手段とをさらに備える、請求項45に記載の装置。
【請求項４８】
無線リソース制御(RRC)アイドルモードで動作する間、前記1つまたは複数の同期信号を監視するための手段をさらに備える、請求項47に記載の装置。
【請求項４９】
前記1つまたは複数の同期信号は、1次同期信号(PSS)および2次同期信号(SSS)を含む、請求項45に記載の装置。
【請求項５０】
システムにおけるワイヤレス通信のための装置であって、
無認可無線周波数スペクトル帯域の第1の狭帯域領域中の第1のキャリアのリソース上で、構成メッセージを第1のワイヤレスデバイスに送信するための手段であって、前記構成メッセージは、前記無認可無線周波数スペクトル帯域の異なる狭帯域領域中に各々がある追加キャリアの第1のセットの構成を識別する、手段と、
前記第1のキャリアのリソース上で前記第1のワイヤレスデバイスに、前記無認可無線周波数スペクトル帯域の前記異なる狭帯域領域中の追加キャリアの前記第1のセット上でのリソースの割当てを送信するための手段と、
前記割当てに従って、前記無認可無線周波数スペクトル帯域の前記異なる狭帯域領域中の追加キャリアの前記第1のセット上で前記第1のワイヤレスデバイスと通信するための手段とを備える装置。
【請求項５１】
前記無認可無線周波数スペクトル帯域の前記第1の狭帯域領域中の前記第1のキャリア上で、第2のワイヤレスデバイスに追加構成メッセージを送信するための手段をさらに備え、前記追加構成メッセージは、各々が異なる狭帯域領域である追加キャリアの第2のセットの構成を識別する、請求項50に記載の装置。
【請求項５２】
追加キャリアの前記第1のセットの各キャリアは、追加キャリアの前記第1のセットの別のキャリアに隣接する、請求項50に記載の装置。
【請求項５３】
前記第1の狭帯域領域中の前記第1のキャリアのリソース上で前記第1のワイヤレスデバイスからアップリンクメッセージを受信するための手段をさらに備える、請求項50に記載の装置。
【請求項５４】
前記第1のキャリアのリソース上で前記第1のワイヤレスデバイスの能力またはカテゴリの指示を受信するための手段をさらに備え、追加キャリアの前記第1のセットの前記構成は、前記第1のワイヤレスデバイスの前記能力またはカテゴリに少なくとも部分的に基づく、請求項50に記載の装置。
【請求項５５】
前記構成の中の追加キャリアの前記第1のセット中のキャリアの数は、前記第1のワイヤレスデバイスの前記能力またはカテゴリに少なくとも部分的に基づく、請求項54に記載の装置。
【請求項５６】
前記第1のワイヤレスデバイスの前記能力またはカテゴリに少なくとも部分的に基づくフォーマットを有するダウンリンク制御メッセージを送信するための手段をさらに備える、請求項54に記載の装置。
【請求項５７】
追加キャリアの前記第1のセットの前記リソース上でダウンリンクデータメッセージを送信するための手段をさらに備え、前記ダウンリンクデータメッセージのフォーマットは、前記第1のワイヤレスデバイスの前記能力またはカテゴリに少なくとも部分的に基づく、請求項54に記載の装置。
【請求項５８】
前記第1のキャリアのリソース上でアップリンク制御メッセージを受信するための手段をさらに備え、前記アップリンク制御メッセージのフォーマットは、前記第1のワイヤレスデバイスの前記能力またはカテゴリに少なくとも部分的に基づく、請求項54に記載の装置。
【請求項５９】
追加キャリアの前記第1のセットの前記リソース上でアップリンク制御メッセージまたはアップリンクデータメッセージを受信するための手段をさらに備え、前記アップリンク制御メッセージまたは前記アップリンクデータメッセージのフォーマットは、前記第1のワイヤレスデバイスの前記能力またはカテゴリに少なくとも部分的に基づく、請求項54に記載の装置。
【請求項６０】
前記第1のキャリアのリソース上でシステム情報ブロードキャストメッセージを送信するための手段をさらに備え、前記システム情報ブロードキャストメッセージは、前記無認可無線周波数スペクトル帯域の前記異なる狭帯域領域を識別する、請求項50に記載の装置。
【請求項６１】
前記第1のキャリアのリソースを使って、前記第1のワイヤレスデバイスとのランダムアクセス手順を実施するための手段をさらに備え、前記構成メッセージは、前記ランダムアクセス手順中に送信される、請求項50に記載の装置。
【請求項６２】
前記第1のキャリアのリソース上で1つまたは複数の同期信号を送信するための手段をさらに備える、請求項50に記載の装置。
【請求項６３】
ワイヤレス通信のためのコードを記憶する非一時的コンピュータ可読記録媒体であって、前記コードは、
無認可無線周波数スペクトル帯域の第1の狭帯域領域中の第1のキャリアのリソース上で構成メッセージを受信し、
前記構成メッセージに少なくとも部分的に基づいて、前記無認可無線周波数スペクトル帯域の異なる狭帯域領域中に各々がある1つまたは複数の追加キャリアの構成を識別し、
前記第1のキャリアのリソース上で、前記無認可無線周波数スペクトル帯域の前記異なる狭帯域領域中の前記1つまたは複数の追加キャリア上でのリソースの割当てを受信し、
前記割当てに従って、前記無認可無線周波数スペクトル帯域の前記異なる狭帯域領域中の前記1つまたは複数の追加キャリア上で通信するように実行可能な命令を備える、非一時的コンピュータ可読記録媒体。
【請求項６４】
ワイヤレス通信のためのコードを記憶する非一時的コンピュータ可読記録媒体であって、前記コードは、
無認可無線周波数スペクトル帯域の第1の狭帯域領域中の第1のキャリアのリソース上で、構成メッセージを第1のワイヤレスデバイスに送信することであって、前記構成メッセージは、前記無認可無線周波数スペクトル帯域の異なる狭帯域領域中に各々がある追加キャリアの第1のセットの構成を識別する、ことと、
前記第1のキャリアのリソース上で前記第1のワイヤレスデバイスに、前記無認可無線周波数スペクトル帯域の前記異なる狭帯域領域中の追加キャリアの前記第1のセット上でのリソースの割当てを送信することと、
前記割当てに従って、前記無認可無線周波数スペクトル帯域の前記異なる狭帯域領域中の追加キャリアの前記第1のセット上で前記第1のワイヤレスデバイスと通信することとを行うように実行可能な命令を備える、非一時的コンピュータ可読記録媒体。
【発明の詳細な説明】
【技術分野】
【０００１】
相互参照
本特許出願は、各々が本出願の譲受人に譲渡された、2017年6月29日に出願した「Narrowband Communication for Different Device Capabilities in Unlicensed Spectrum」と題する、Liuらによる米国特許出願第15/637,178号、および2016年9月2日に出願した「Narrowband Communication for Different Device Capabilities in Unlicensed Spectrumと題する、Liuらによる米国仮特許出願第62/383,359号の優先権を主張する。
【背景技術】
【０００２】
以下は概して、ワイヤレス通信に関し、より詳細には、無認可スペクトルにおける、異なるデバイス能力向けの狭帯域通信に関する。
【０００３】
ワイヤレス通信システムは、音声、ビデオ、パケットデータ、メッセージング、ブロードキャストなどのような様々なタイプの通信コンテンツを提供するために広く展開されている。これらのシステムは、利用可能なシステムリソース(たとえば、時間、周波数、および電力)を共有することによって複数のユーザとの通信をサポートすることが可能な場合がある。そのような多元接続システムの例としては、符号分割多元接続(CDMA)システム、時分割多元接続(TDMA)システム、周波数分割多元接続(FDMA)システム、および直交周波数分割多元接続(OFDMA)システム、(たとえば、ロングタームエボリューション(LTE)システム)がある。ワイヤレス多元接続通信システムは、ユーザ機器(UE)としても知られていることがある、複数の通信デバイスのための通信を各々が同時にサポートする、いくつかの基地局を含み得る。
【０００４】
いくつかのワイヤレス通信システムが、基地局と、異なるタイプの狭帯域デバイスタイプとの間の通信をサポートし得る。たとえば、拡張マシンタイプ通信(eMTC)および狭帯域のモノのインターネット(NB-IoT)展開では、モバイルデバイスは、ある展開または他の展開用に特に割り振られたリソースを使って、基地局(または他のサービング局)と通信することができる。そのようなシステムは、リソース能力または帯域幅利用可能性の違いを考慮するように構成されない場合がある。
【０００５】
いくつかのワイヤレスシステムは、無認可無線周波数スペクトル(Unlicensed Radio Frequency Spectrum)における、NB-IoTおよびeMTCなどの狭帯域通信構成をサポートする。ただし、無認可スペクトル中での通信のためのリソース利用可能性または規制制約が、狭帯域通信に影響する制限を課す場合がある。これらの制限は、狭帯域通信の効率を低下させる場合があり、システム内の狭帯域デバイスの様々な能力を考慮しない場合がある。
【発明の概要】
【課題を解決するための手段】
【０００６】
ワイヤレスデバイス(たとえば、狭帯域ワイヤレスデバイス)が、無認可スペクトル無線周波数スペクトル帯域中の1つまたは複数の狭帯域キャリアを使って、基地局と通信するように構成され得る。利用されるキャリアの数は、地理的動作領域と、デバイスの能力またはカテゴリとに依存し得る。リソース割振りにおけるそのような柔軟性により、基地局は、様々なリソース利用可能性と、無認可スペクトルリソースについての規制制約とを有する管轄区の間を移動し得る、異なる能力のデバイスと通信することができるようになり得る。ワイヤレスデバイスは、リソース割振りおよびキャリア構成に基づいて基地局と通信することができる。いくつかのケースでは、アップリンクおよびダウンリンクメッセージは、リソース割振りおよびキャリア構成に基づいてフォーマットされ得る。
【０００７】
ワイヤレス通信の方法について記載する。この方法は、無認可無線周波数スペクトル帯域の第1の狭帯域領域中の第1のキャリアのリソース上で構成メッセージを受信するステップと、構成メッセージに少なくとも部分的に基づいて、無認可無線周波数スペクトル帯域の異なる狭帯域領域中に各々がある1つまたは複数の追加キャリアの構成を識別するステップと、第1のキャリアのリソース上で、無認可無線周波数スペクトル帯域の異なる狭帯域領域中の1つまたは複数の追加キャリア上でのリソースの割当てを受信するステップと、割当てに従って、無認可無線周波数スペクトル帯域の異なる狭帯域領域中の1つまたは複数の追加キャリア上で通信するステップとを含み得る。
【０００８】
ワイヤレス通信のための装置について記載する。この装置は、無認可無線周波数スペクトル帯域の第1の狭帯域領域中の第1のキャリアのリソース上で構成メッセージを受信するための手段と、構成メッセージに少なくとも部分的に基づいて、無認可無線周波数スペクトル帯域の異なる狭帯域領域中に各々がある1つまたは複数の追加キャリアの構成を識別するための手段と、第1のキャリアのリソース上で、無認可無線周波数スペクトル帯域の異なる狭帯域領域中の1つまたは複数の追加キャリア上でのリソースの割当てを受信するための手段と、割当てに従って、無認可無線周波数スペクトル帯域の異なる狭帯域領域中の1つまたは複数の追加キャリア上で通信するための手段とを含み得る。
【０００９】
ワイヤレス通信のための別の装置について記載する。この装置は、プロセッサと、プロセッサと電子通信するメモリと、メモリ中に記憶された命令とを含み得る。命令は、プロセッサに、無認可無線周波数スペクトル帯域の第1の狭帯域領域中の第1のキャリアのリソース上で構成メッセージを受信させ、構成メッセージに少なくとも部分的に基づいて、無認可無線周波数スペクトル帯域の異なる狭帯域領域中に各々がある1つまたは複数の追加キャリアの構成を識別させ、第1のキャリアのリソース上で、無認可無線周波数スペクトル帯域の異なる狭帯域領域中の1つまたは複数の追加キャリア上でのリソースの割当てを受信させ、割当てに従って、無認可無線周波数スペクトル帯域の異なる狭帯域領域中の1つまたは複数の追加キャリア上で通信させるように動作可能であり得る。
【００１０】
ワイヤレス通信のための非一時的コンピュータ可読媒体について記載する。非一時的コンピュータ可読媒体は、プロセッサに、無認可無線周波数スペクトル帯域の第1の狭帯域領域中の第1のキャリアのリソース上で構成メッセージを受信させ、構成メッセージに少なくとも部分的に基づいて、無認可無線周波数スペクトル帯域の異なる狭帯域領域中に各々がある1つまたは複数の追加キャリアの構成を識別させ、第1のキャリアのリソース上で、無認可無線周波数スペクトル帯域の異なる狭帯域領域中の1つまたは複数の追加キャリア上でのリソースの割当てを受信させ、割当てに従って、無認可無線周波数スペクトル帯域の異なる狭帯域領域中の1つまたは複数の追加キャリア上で通信させるように動作可能な命令を含み得る。
【００１１】
上述した方法、装置、および非一時的コンピュータ可読媒体のいくつかの例では、1つまたは複数の追加キャリアは互いに隣接し得る。上述した方法、装置、および非一時的コンピュータ可読媒体のいくつかの例は、第1の狭帯域領域中の第1のキャリアのリソース上でアップリンクメッセージを送信するためのプロセス、特徴、手段、または命令をさらに含み得る。上述した方法、装置、および非一時的コンピュータ可読媒体のいくつかの例は、第1のキャリアのリソース上で、ワイヤレスデバイスの能力またはカテゴリの指示を送信するためのプロセス、特徴、手段、または命令をさらに含むことができ、1つまたは複数の追加キャリアの構成は、ワイヤレスデバイスの能力またはカテゴリに少なくとも部分的に基づき得る。
【００１２】
上述した方法、装置、および非一時的コンピュータ可読媒体のいくつかの例では、構成の中の1つまたは複数の追加キャリアの数は、ワイヤレスデバイスの能力またはカテゴリに少なくとも部分的に基づき得る。上述した方法、装置、および非一時的コンピュータ可読媒体のいくつかの例では、リソースの割当てを受信することは、ワイヤレスデバイスの能力またはカテゴリに少なくとも部分的に基づき得るフォーマットを有するダウンリンク制御メッセージを受信することを含む。
【００１３】
上述した方法、装置、および非一時的コンピュータ可読媒体のいくつかの例では、1つまたは複数の追加キャリア上で通信することは、1つまたは複数の追加キャリアのリソース上でダウンリンクデータメッセージを受信することを含み、ダウンリンクデータメッセージのフォーマットは、ワイヤレスデバイスの能力またはカテゴリに少なくとも部分的に基づき得る。上述した方法、装置、および非一時的コンピュータ可読媒体のいくつかの例は、第1のキャリアのリソース上でアップリンク制御メッセージを送信するためのプロセス、特徴、手段、または命令をさらに含むことができ、アップリンク制御メッセージのフォーマットは、ワイヤレスデバイスの能力またはカテゴリに少なくとも部分的に基づき得る。
【００１４】
上述した方法、装置、および非一時的コンピュータ可読媒体のいくつかの例では、1つまたは複数の追加キャリア上で通信することは、1つまたは複数の追加キャリアのリソース上でアップリンク制御メッセージまたはアップリンクデータメッセージを送信することを含み、アップリンク制御メッセージまたはアップリンクデータメッセージのフォーマットは、ワイヤレスデバイスの能力またはカテゴリに少なくとも部分的に基づき得る。上述した方法、装置、および非一時的コンピュータ可読媒体のいくつかの例では、各狭帯域領域の帯域幅は、12個のロングタームエボリューション(LTE)サブキャリア(1RB)の帯域幅を含む。
【００１５】
上述した方法、装置、および非一時的コンピュータ可読媒体のいくつかの例は、第1のキャリアのリソース上でシステム情報ブロードキャストメッセージを受信するためのプロセス、特徴、手段、または命令をさらに含み得る。上述した方法、装置、および非一時的コンピュータ可読媒体のいくつかの例は、システム情報ブロードキャストメッセージに少なくとも部分的に基づいて、無認可無線周波数スペクトル帯域の異なる狭帯域領域を識別するためのプロセス、特徴、手段、または命令をさらに含み得る。上述した方法、装置、および非一時的コンピュータ可読媒体のいくつかの例は、第1のキャリアのリソースを使ってランダムアクセス手順を実施するためのプロセス、特徴、手段、または命令をさらに含むことができ、構成メッセージは、ランダムアクセス手順中に受信され得る。
【００１６】
上述した方法、装置、および非一時的コンピュータ可読媒体のいくつかの例は、第1のキャリアのリソース上で1つまたは複数の同期信号を受信するためのプロセス、特徴、手段、または命令をさらに含み得る。上述した方法、装置、および非一時的コンピュータ可読媒体のいくつかの例は、1つまたは複数の同期信号に少なくとも部分的に基づいて、無認可無線周波数スペクトル帯域の第1の狭帯域領域のロケーションを識別するためのプロセス、特徴、手段、または命令をさらに含み得る。
【００１７】
上述した方法、装置、および非一時的コンピュータ可読媒体のいくつかの例は、1つまたは複数の同期信号を受信したことに少なくとも部分的に基づいて、基地局が、無認可無線周波数スペクトル帯域の第1の狭帯域領域および異なる狭帯域領域へのアクセスを得ることができたと判断するためのプロセス、特徴、手段、または命令をさらに含み得る。上述した方法、装置、および非一時的コンピュータ可読媒体のいくつかの例は、基地局が第1の狭帯域領域および異なる狭帯域領域へのアクセスを得たと判断したことに少なくとも部分的に基づいて、1つまたは複数の無線周波数(RF)チェーンを、異なる狭帯域領域の周波数に同調させるためのプロセス、特徴、手段、または命令をさらに含み得る。
【００１８】
上述した方法、装置、および非一時的コンピュータ可読媒体のいくつかの例は、無線リソース制御(RRC)アイドルモードで動作する間、1つまたは複数の同期信号を監視するためのプロセス、特徴、手段、または命令をさらに含み得る。上述した方法、装置、および非一時的コンピュータ可読媒体のいくつかの例では、1つまたは複数の同期信号は、1次同期信号(PSS)および2次同期信号(SSS)を含む。
【００１９】
ワイヤレス通信の方法について記載する。この方法は、無認可無線周波数スペクトル帯域の第1の狭帯域領域中の第1のキャリアのリソース上で、構成メッセージを第1のワイヤレスデバイスに送信するステップであって、構成メッセージは、無認可無線周波数スペクトル帯域の異なる狭帯域領域中に各々がある追加キャリアの第1のセットの構成を識別する、ステップと、第1のキャリアのリソース上で第1のワイヤレスデバイスに、無認可無線周波数スペクトル帯域の異なる狭帯域領域中の追加キャリアの第1のセット上でのリソースの割当てを送信するステップと、割当てに従って、無認可無線周波数スペクトル帯域の異なる狭帯域領域中の追加キャリアの第1のセット上で第1のワイヤレスデバイスと通信するステップとを含み得る。
【００２０】
ワイヤレス通信のための装置について記載する。この装置は、無認可無線周波数スペクトル帯域の第1の狭帯域領域中の第1のキャリアのリソース上で、構成メッセージを第1のワイヤレスデバイスに送信するための手段であって、構成メッセージは、無認可無線周波数スペクトル帯域の異なる狭帯域領域中に各々がある追加キャリアの第1のセットの構成を識別する、手段と、第1のキャリアのリソース上で第1のワイヤレスデバイスに、無認可無線周波数スペクトル帯域の異なる狭帯域領域中の追加キャリアの第1のセット上でのリソースの割当てを送信するための手段と、割当てに従って、無認可無線周波数スペクトル帯域の異なる狭帯域領域中の追加キャリアの第1のセット上で第1のワイヤレスデバイスと通信するための手段とを含み得る。
【００２１】
ワイヤレス通信のための別の装置について記載する。この装置は、プロセッサと、プロセッサと電子通信するメモリと、メモリ中に記憶された命令とを含み得る。命令は、プロセッサに、無認可無線周波数スペクトル帯域の第1の狭帯域領域中の第1のキャリアのリソース上で、構成メッセージを第1のワイヤレスデバイスに送信することであって、構成メッセージは、無認可無線周波数スペクトル帯域の異なる狭帯域領域中に各々がある追加キャリアの第1のセットの構成を識別する、ことと、第1のキャリアのリソース上で第1のワイヤレスデバイスに、無認可無線周波数スペクトル帯域の異なる狭帯域領域中の追加キャリアの第1のセット上でのリソースの割当てを送信することと、割当てに従って、無認可無線周波数スペクトル帯域の異なる狭帯域領域中の追加キャリアの第1のセット上で第1のワイヤレスデバイスと通信することとを行わせるように動作可能であり得る。
【００２２】
ワイヤレス通信のための非一時的コンピュータ可読媒体について記載する。非一時的コンピュータ可読媒体は、プロセッサに、無認可無線周波数スペクトル帯域の第1の狭帯域領域中の第1のキャリアのリソース上で、構成メッセージを第1のワイヤレスデバイスに送信することであって、構成メッセージは、無認可無線周波数スペクトル帯域の異なる狭帯域領域中に各々がある追加キャリアの第1のセットの構成を識別する、ことと、第1のキャリアのリソース上で第1のワイヤレスデバイスに、無認可無線周波数スペクトル帯域の異なる狭帯域領域中の追加キャリアの第1のセット上でのリソースの割当てを送信することと、割当てに従って、無認可無線周波数スペクトル帯域の異なる狭帯域領域中の追加キャリアの第1のセット上で第1のワイヤレスデバイスと通信することとを行わせるように動作可能な命令を含み得る。
【００２３】
上述した方法、装置、および非一時的コンピュータ可読媒体のいくつかの例は、無認可無線周波数スペクトル帯域の第1の狭帯域領域中の第1のキャリア上で、第2のワイヤレスデバイスに追加構成メッセージを送信するためのプロセス、特徴、手段、または命令をさらに含むことができ、追加構成メッセージは、各々が異なる狭帯域領域であり得る追加キャリアの第2のセットの構成を識別する。
【００２４】
上述した方法、装置、および非一時的コンピュータ可読媒体のいくつかの例では、追加キャリアの第1のセットの各キャリアは、追加キャリアの第1のセットの別のキャリアに隣接し得る。上述した方法、装置、および非一時的コンピュータ可読媒体のいくつかの例は、第1の狭帯域領域中の第1のキャリアのリソース上で第1のワイヤレスデバイスからアップリンクメッセージを受信するためのプロセス、特徴、手段、または命令をさらに含み得る。
【００２５】
上述した方法、装置、および非一時的コンピュータ可読媒体のいくつかの例は、第1のキャリアのリソース上で第1のワイヤレスデバイスの能力またはカテゴリの指示を受信するためのプロセス、特徴、手段、または命令をさらに含むことができ、追加キャリアの第1のセットの構成は、第1のワイヤレスデバイスの能力またはカテゴリに少なくとも部分的に基づき得る。上述した方法、装置、および非一時的コンピュータ可読媒体のいくつかの例では、構成の中の追加キャリアの第1のセット中のキャリアの数は、第1のワイヤレスデバイスの能力またはカテゴリに少なくとも部分的に基づき得る。
【００２６】
上述した方法、装置、および非一時的コンピュータ可読媒体のいくつかの例では、リソースの割当てを送信することは、第1のワイヤレスデバイスの能力またはカテゴリに少なくとも部分的に基づき得るフォーマットを有するダウンリンク制御メッセージを送信することを含む。上述した方法、装置、および非一時的コンピュータ可読媒体のいくつかの例では、追加キャリアの第1のセット上で通信することは、追加キャリアの第1のセットのリソース上でダウンリンクデータメッセージを送信することを含み、ダウンリンクデータメッセージのフォーマットは、第1のワイヤレスデバイスの能力またはカテゴリに少なくとも部分的に基づき得る。
【００２７】
上述した方法、装置、および非一時的コンピュータ可読媒体のいくつかの例は、第1のキャリアのリソース上でアップリンク制御メッセージを受信するためのプロセス、特徴、手段、または命令をさらに含むことができ、アップリンク制御メッセージのフォーマットは、第1のワイヤレスデバイスの能力またはカテゴリに少なくとも部分的に基づき得る。上述した方法、装置、および非一時的コンピュータ可読媒体のいくつかの例では、追加キャリアの第1のセット上で通信することは、追加キャリアの第1のセットのリソース上でアップリンク制御メッセージまたはアップリンクデータメッセージを受信することを含み、アップリンク制御メッセージまたはアップリンクデータメッセージのフォーマットは、第1のワイヤレスデバイスの能力またはカテゴリに少なくとも部分的に基づき得る。
【００２８】
上述した方法、装置、および非一時的コンピュータ可読媒体のいくつかの例は、第1のキャリアのリソース上でシステム情報ブロードキャストメッセージを送信するためのプロセス、特徴、手段、または命令をさらに含むことができ、システム情報ブロードキャストメッセージは、無認可無線周波数スペクトル帯域の異なる狭帯域領域を識別する。上述した方法、装置、および非一時的コンピュータ可読媒体のいくつかの例は、第1のキャリアのリソースを使って、第1のワイヤレスデバイスとのランダムアクセス手順を実施するためのプロセス、特徴、手段、または命令をさらに含むことができ、構成メッセージは、ランダムアクセス手順中に送信され得る。上述した方法、装置、および非一時的コンピュータ可読媒体のいくつかの例は、第1のキャリアのリソース上で1つまたは複数の同期信号を送信するためのプロセス、特徴、手段、または命令をさらに含み得る。
【図面の簡単な説明】
【００２９】
【図１】本開示の態様による、無認可スペクトルにおける、異なるデバイス能力向けの狭帯域通信をサポートするワイヤレス通信システムの例を示す図である。
【図２】本開示の態様による、無認可スペクトルにおける、異なるデバイス能力向けの狭帯域通信をサポートするワイヤレス通信システムの例を示す図である。
【図３】本開示の態様による、異なるデバイス能力向けの、無認スペクトルにおける狭帯域通信のためのキャリア構成の例を示す図である。
【図４】本開示の態様による、無認可スペクトルにおける、異なるデバイス能力向けの狭帯域通信をサポートするプロセスフローの例を示す図である。
【図５】本開示の態様による、無認可スペクトルにおける、異なるデバイス能力向けの狭帯域通信をサポートする1つのデバイスまたは複数のデバイスのブロック図である。
【図６】本開示の態様による、無認可スペクトルにおける、異なるデバイス能力向けの狭帯域通信をサポートする1つのデバイスまたは複数のデバイスのブロック図である。
【図７】本開示の態様による、無認可スペクトルにおける、異なるデバイス能力向けの狭帯域通信をサポートする1つのデバイスまたは複数のデバイスのブロック図である。
【図８】本開示の態様による、無認可スペクトルにおける、異なるデバイス能力向けの狭帯域通信をサポートするデバイスを含むシステムのブロック図である。
【図９】本開示の態様による、無認可スペクトルにおける、異なるデバイス能力向けの狭帯域通信をサポートする1つのデバイスまたは複数のデバイスのブロック図である。
【図１０】本開示の態様による、無認可スペクトルにおける、異なるデバイス能力向けの狭帯域通信をサポートする1つのデバイスまたは複数のデバイスのブロック図である。
【図１１】本開示の態様による、無認可スペクトルにおける、異なるデバイス能力向けの狭帯域通信をサポートする1つのデバイスまたは複数のデバイスのブロック図である。
【図１２】本開示の態様による、無認可スペクトルにおける、異なるデバイス能力向けの狭帯域通信をサポートする、基地局などのデバイスを含むシステムのブロック図である。
【図１３】本開示の態様による、無認可スペクトルにおける、異なるデバイス能力向けの狭帯域通信のための方法を示す図である。
【図１４】本開示の態様による、無認可スペクトルにおける、異なるデバイス能力向けの狭帯域通信のための方法を示す図である。
【図１５】本開示の態様による、無認可スペクトルにおける、異なるデバイス能力向けの狭帯域通信のための方法を示す図である。
【図１６】本開示の態様による、無認可スペクトルにおける、異なるデバイス能力向けの狭帯域通信のための方法を示す図である。
【発明を実施するための形態】
【００３０】
無認可無線周波数スペクトル帯域(Unlicensed Radio Frequency Spectrum Band)中での狭帯域通信(Narrowband Communication)のためのリソースは、リソース利用可能性、規制制約、デバイス能力またはカテゴリなどに基づいて構成され、割り振られ得る。マシンタイプ通信(MTC)デバイス、またはモノのインターネット(IoT)に関連付けられたものを含む、他の比較的低複雑度のデバイスは、無認可スペクトル帯域中で1つのトーンと複数のリソースブロックとの間を占め得る1つまたは複数の狭帯域キャリアを使って通信することができる。いくつかのケースでは、異なる国は、無認可スペクトル中で利用可能な異なる量の帯域幅を有する場合がある。異なるデバイスタイプは、したがって、地理的領域の間を移動するとき、異なるように構成される場合がある。
【００３１】
例として、MTC(または拡張MTC(eMTC))およびIoTデバイスは、基地局(または他のサービング局)と情報を絶えず交換するのではなく、定期的に(または、要求されたときに)比較的低量のデータを送信し得る。そのようなデバイスは、メーター(たとえば、水道メーター、ガスメーター)、センサー(たとえば、煙検出器、光センサー)、またはウェアラブル技術(たとえば、スマートウォッチ)を含んでよく、これらは、限られたバッテリー寿命を有する場合があり、またはセルカバレージエリアの端部に位置する場合がある。高データレートまたは継続的通信用に設計された従来の展開(たとえば、ロングタームエボリューション(LTE)/LTEアドバンスト(LTE-A))を使って動作するのではなく、これらのデバイスは、デバイスの複雑度を低減し、カバレージを増大し、かつより優れたバッテリー寿命を提供するように設計された展開を使って通信し得る。
【００３２】
さらに、eMTCおよび狭帯域IoT(NB-IoT)デバイスは、認可スペクトル中のリソースが(たとえば、増大したデータトラフィック、高い使用料などにより)利用不可能なとき、無認可周波数スペクトル帯域中で通信することができる。eMTCまたはNB-IoT技法のいずれかが、基地局によってサポートされ、比較的低いデータレートで、または低い信号対雑音比(SNR)環境において通信するデバイスによって使われ得る。
【００３３】
eMTC展開は、いくつかのシナリオにおいてNB-IoT展開に勝るいくつかの利点(たとえば、リソース柔軟性、チャネル品質フィードバック、および周波数ダイバーシティ)をもたらし得るが、セル捕捉は、eMTC展開では、NB-IoT展開よりも2〜3倍長くかかり得る。地理的動作領域によっては、eMTC展開のリソース柔軟性により、デバイスは、たとえば、帯域幅要件を(たとえば、所与のアプリケーションのために)満足することができる。NB-IoT展開に関しては、これらの展開のより速いセル捕捉手順により、無認可周波数スペクトル帯域中での、リソースのより効率的な(たとえば、エネルギー効率的な)使用が可能になり得る。したがって、いくつかのケースでは、変化する利用可能スペクトルまたは帯域幅に関連付けられ得る複数の地理的領域における柔軟な展開動作(たとえば、eMTCおよびNB-IoT展開)を容易にする狭帯域技法をサポートするための、向上したシステム性能を提供することが適切な場合がある。
【００３４】
本明細書に記載するように、ワイヤレス通信システムは、柔軟な展開動作を容易にするための効率的な狭帯域技法をサポートし得る。いくつかの例では、狭帯域ワイヤレスデバイスが、無認可スペクトル帯域の追加キャリア上での通信用の第1のキャリア上で、構成を受信し得る。狭帯域ワイヤレスデバイスは次いで、追加キャリア上での通信用に使うためのリソースの割当てを受信し得る。リソース割当ておよび複数のキャリアの構成に基づいて、狭帯域ワイヤレスデバイスは、追加キャリアを使って、無認可スペクトル中で基地局と通信することができる。無認スペクトルにおける狭帯域通信のためのこれらの技法により、異なる地理的領域における無認可スペクトルの効率的使用ができるようになり得る。
【００３５】
上で提起した本開示の態様が、ワイヤレス通信システムのコンテキストにおいて以下で説明される。無認可スペクトル中での異なるデバイス能力向けの狭帯域通信をサポートするプロセスおよびシグナリング交換の例が、次いで、記載される。本開示の態様がさらに、無認可スペクトル中での異なるデバイス能力向けの狭帯域通信に関する装置図、システム図、およびフローチャートによって示され、それらを参照して記載される。
【００３６】
図1は、本開示の様々な態様によるワイヤレス通信システム100の例を示す。ワイヤレス通信システム100は、基地局105と、ユーザ機器(UE)115と、コアネットワーク130とを含む。いくつかの例では、ワイヤレス通信システム100は、LTE(または、LTE-A)ネットワークであり得る。いくつかの実装形態では、ワイヤレス通信システム100は、異なる能力をもつ基地局105とUE115との間の通信をサポートし得る。
【００３７】
基地局105は、1つまたは複数の基地局アンテナを介してUE115とワイヤレスに通信し得る。各基地局105は、それぞれの地理的カバレージエリア110に通信カバレージを提供し得る。ワイヤレス通信システム100中に示されている通信リンク125は、UE115から基地局105へのアップリンク(UL)送信、または基地局105からUE115へのダウンリンク(DL)送信を含み得る。UE115は、ワイヤレス通信システム100全体にわたって分散されることがあり、各UE115は固定式または移動式であり得る。
【００３８】
UE115は、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または他の何らかの適切な用語で呼ばれることもある。
【００３９】
UE115は、狭帯域通信が可能であってよく、セルラーフォン、携帯情報端末(PDA)、ワイヤレスモデム、ワイヤレス通信デバイス、ハンドヘルドデバイス、タブレットコンピュータ、ラップトップコンピュータ、コードレスフォン、個人用電子デバイス、ハンドヘルドデバイス、パーソナルコンピュータ、ワイヤレスローカルループ(WLL)局、IoTデバイス、あらゆるモノのインターネット(IoE:Internet of Everything)デバイス、MTCデバイス、器具、自動車などであってよい。いくつかのUE115は、個人用生体または健康モニタ、ロケーション追跡デバイス、センサー、モニタなどのような、装着可能デバイスであってよい。
【００４０】
基地局105は、コアネットワーク130と、また互いと通信し得る。たとえば、基地局105は、バックホールリンク132(たとえば、S1など)を通してコアネットワーク130とインターフェースし得る。基地局105は、バックホールリンク134(たとえば、X2など)を介して直接または間接的に(たとえば、コアネットワーク130を通して)のいずれかで互いと通信し得る。基地局105は、UE115との通信のための無線構成およびスケジューリングを実施し得るか、または基地局コントローラ(図示せず)の制御下で動作し得る。いくつかの例では、基地局105は、マクロセル、スモールセル、ホットスポットなどであり得る。基地局105は、eノードB(eNB)105とも呼ばれ得る。
【００４１】
いくつかのケースでは、物理ダウンリンク制御チャネル(PDCCH)は、論理的に連続する9つのリソース要素グループ(REG)からなり得る、少なくとも1つの制御チャネル要素(CCE)の中でダウンリンク制御情報(DCI)を搬送することができ、ここで、各REGは4つのリソース要素(RE)を含む。DCIは、ダウンリンクスケジューリング割当て、アップリンクリソース許可、送信方式、アップリンク電力制御、ハイブリッド自動再送要求(HARQ)情報、変調およびコーディング方式(MCS)などに関する情報を含む。
【００４２】
DCIメッセージのサイズおよびフォーマットは、DCIによって搬送される情報のタイプおよび量に応じて異なり得る。たとえば、空間多重化がサポートされる場合、DCIメッセージのサイズは、連続する周波数割振りと比較して大きくなり得る。同様に、多入力多出力(MIMO)を採用するシステムでは、DCIは、追加のシグナリング情報を含み得る。DCIサイズおよびDCIフォーマットは、情報の量、ならびに帯域幅、アンテナポートの数、および複信モードなどのファクタによって決まり得る。PDCCHは、複数のユーザに関連付けられたDCIメッセージを搬送することができ、各UE115は、それを対象とするDCIメッセージを復号し得る。たとえば、各UE115は、セル無線ネットワーク一時識別子(C-RNTI)を割り当てられてよく、各DCIが、C-RNTIに基づいてスクランブリングされ得る。さらに、DCIメッセージ、またはDCIを搬送するPDCCHのサイズおよびフォーマットは、DCIまたはPDCCHを受信する予定であるデバイスの能力またはカテゴリに依存し得る。PDCCHまたは他のダウンリンク制御メッセージは、eMTCデバイスおよびNB-IoTデバイス用に構成されてよく、そのようなメッセージの構成は、eMTCおよびNB-IoTデバイスのための比較的低複雑または低電力の選好を考慮してよい。
【００４３】
UE115(たとえば、eMTCまたはNB-IoTデバイス)における電力消費およびオーバーヘッドを低減するために、CCEロケーションの限られたセットが、特定のUE115に関連するDCIのために指定され得る。CCEは、(たとえば、1、2、4、および8つのCCEのグループに)グループ化されてよく、関連するDCIをUE115が見つけ得るCCEロケーションのセットが指定されてよい。これらのCCEは、探索空間と呼ばれることがある。探索空間は、2つの領域、すなわち、共通CCE領域または探索空間、およびUE固有(専用)CCE領域または探索空間に区分され得る。共通CCE領域は、基地局105によってサービスされるすべてのUE115によって監視され、ページング情報、システム情報、ランダムアクセス手順などの情報を含み得る。UE固有探索空間は、eMTCデバイス用にはより小さくてよく、NB-IoTデバイス用にはさらに小さくてよい。
【００４４】
UE固有探索空間は、ユーザ固有制御情報を含み得る。CCEはインデックス付けされてよく、共通探索空間はCCE0から開始してよい。UE固有探索空間のための開始インデックスは、C-RNTI、サブフレームインデックス、CCEアグリゲーションレベルおよびランダムシードに依存し得る。UE115は、ブラインド復号と呼ばれるプロセスを実行することによってDCIを復号しようと試みてよく、ブラインド復号中、DCIが検出されるまで探索空間がランダムに復号される。ブラインド復号中、UE115は、そのC-RNTIを使って、すべての起こり得るDCIメッセージをスクランブル解除することを試みる場合がある。
【００４５】
データは、論理チャネル、トランスポートチャネル、および物理レイヤチャネルに分割され得る。チャネルはまた、制御チャネルおよびトラフィックチャネルに分類され得る。論理制御チャネルは、ページング情報のためのページング制御チャネル(PCCH)、ブロードキャストシステム制御情報のためのブロードキャスト制御チャネル(BCCH)、マルチメディアブロードキャストマルチキャストサービス(MBMS)のスケジューリング情報および制御情報を送信するためのマルチキャスト制御チャネル(MCCH)、専用制御情報を送信するための専用制御チャネル(DCCH)、ランダムアクセス情報のための共通制御チャネル(CCCH)、専用UEデータのための専用トラフィックチャネル(DTCH)、ならびにマルチキャストデータのためのMBMSトラフィックチャネル(MTCH)を含んでよい。ダウンリンクトランスポートチャネルは、ブロードキャスト情報のためのブロードキャストチャネル(BCH)、データ転送のためのダウンリンク共有チャネル(DL-SCH)、ページング情報のためのページングチャネル(PCH)、およびマルチキャスト送信のためのマルチキャストチャネル(MCH)を含み得る。アップリンクトランスポートチャネルは、アクセスのためのランダムアクセスチャネル(RACH)、およびデータのためのアップリンク共有チャネル(UL-SCH)を含み得る。
【００４６】
ダウンリンク物理チャネルは、ブロードキャスト情報のための物理ブロードキャストチャネル(PBCH)、制御フォーマット情報のための物理制御フォーマットインジケータチャネル(PCFICH)、制御およびスケジューリング情報のための物理ダウンリンク制御チャネル(PDCCH)、HARQステータスメッセージのための物理HARQインジケータチャネル(PHICH)、ユーザデータのための物理ダウンリンク共有チャネル(PDSCH)、マルチキャストデータのための物理マルチキャストチャネル(PMCH)を含み得る。アップリンク物理チャネルは、アクセスメッセージのための物理ランダムアクセスチャネル(PRACH)、制御データのための物理アップリンク制御チャネル(PUCCH)、およびユーザデータのための物理アップリンク共有チャネル(PUSCH)を含み得る。eMTCまたはNB-IoT通信用の通信に利用されるダウンリンク物理チャネルは、そのようなデバイスの低複雑、低電力選好向けにあつらえられ、または構成されてよい。たとえば、PDSCHもしくはPUSCH、または両方が、より能力のあるUE115(たとえば、キャリアアグリゲーションが可能な、複数の無線周波数(RF)チェーンをもつUE115など)用のPDSCHおよびPUSCHと比較して、比較的小さいペイロードを有して構成されてよい。
【００４７】
ワイヤレスネットワークにアクセスしようと試みるUE115は、基地局105からの1次同期信号(PSS)を検出することによって、初期セル探索を実施し得る。PSSは、スロットタイミングの同期を可能にし得、物理レイヤ識別情報値を示し得る。次いで、UE115は2次同期信号(SSS)を受信し得る。SSSは、無線フレーム同期を可能にし得、セルを識別するために物理レイヤ識別情報値と組み合わされ得るセル識別情報値を提供し得る。SSSはまた、複信モードおよびサイクリックプレフィックス長の検出を可能にし得る。時分割複信(TDD)システムなど、いくつかのシステムは、SSSは送信するが、PSSを送信しなくてよい。PSSおよびSSSは、それぞれ、キャリアの中央の62個のサブキャリアおよび72個のサブキャリア中にあり得る。代替として、PSSおよびSSSのロケーションは、特定のアプリケーションまたは展開に依存し得る。たとえば、無認可無線周波数スペクトル帯域中で動作するシステムは、eMTCまたはNB-IoTデバイスにとって既知のロケーションにおいてPSSまたはSSSをブロードキャストすることができるが、ロケーションは、LTE展開よりも少ないサブキャリアにまたがる場合があり、以下で論じるように、アンカーキャリア上で送信される場合がある。
【００４８】
PSSおよびSSSを受信した後、UE115は、PBCHまたはeMTCもしくはNB-IoTデバイスなどの狭帯域デバイス用の特定のブロードキャストチャネル中で送信され得るマスタ情報ブロック(MIB)を受信し得る。MIBは、システム帯域幅情報、単一周波数ネットワーク(SFN)情報、およびPHICH構成を含み得る。MIBは、追加狭帯域キャリア、リソース利用可能性、規制制約などについての情報を提供するシステム情報も含み得る。この付加情報の一部または全部は、他のシステム情報ブロック(SIB)中に含まれてもよい。MIBを復号した後、UE115は、1つまたは複数のSIBを受信し得る。たとえば、SIB1は、他のSIBのセルアクセスパラメータおよびスケジューリング情報を含み得る。SIB1を復号することは、UE115がSIB2を受信することを可能にし得る。SIB2は、RACH手順、ページング、PUCCH、PUSCH、電力制御、サウンディング基準信号(SRS)、およびセル禁止に関する無線リソース制御(RRC)構成情報を含み得る。
【００４９】
いくつかのケースでは、基地局105およびUE115は、複数のキャリアを使用して通信し得る。アグリゲートされた各キャリアは、コンポーネントキャリア(CC)と呼ばれ得る。各CCは、たとえば、1.4、3、5、10、15、または20MHzという帯域幅を有することができる。しかし、そのようなキャリアのアグリゲーションは、eMTCおよびNB-IoTコンテキストでは役に立たないか、または適用可能でない場合がある。たとえば、キャリアアグリゲーションは、ダウンリンクにおける大きい帯域幅を促進するように設計される場合があるが、eMTCおよびNB-IoTは主に、非対称アップリンク通信に関わり得る。さらに、eMTCおよびNB-IoTは、単一CCよりも大幅に狭い帯域中で動作することができる。以下で論じるように、いくつかのeMTCおよびNB-IoTデバイスは、複数の狭帯域キャリア上で通信することができ、この通信は、いくつかの程度の狭帯域動作をサポートすることができ、したがって、キャリアアグリゲーションによって促進される広帯域幅とは違い得る。同様に、eMTCおよびNB-IoTでは、アップリンク制御情報は、単一の指定された1次セルではなく、1つまたは複数の狭帯域キャリア上で送信され得る。さらに、eMTCまたはNB-IoTをサポートする各狭帯域キャリアは、異なるセルに関連付けられなくてよく、無認可無線周波数スペクトル帯域中で動作する1つの基地局105またはアクセスポイントからなるセルの異なる周波数であってよい。
【００５０】
いくつかのケースでは、ワイヤレスシステム100は、認可無線周波数スペクトル帯域と無認可無線周波数スペクトル帯域の両方を使用し得る。たとえば、ワイヤレスシステム100は、5GHzの産業、科学、および医療(ISM)帯域などの無認可帯域においてLTEライセンス補助アクセス(LTE-LAA)またはLTE無認可(LTE U)の無線アクセス技術を用いることができる。無認可無線周波数スペクトル帯域で動作するとき、基地局105およびUE115などのワイヤレスデバイスは、データを送信する前にチャネルがクリアであることを保証するためにリッスンビフォアトーク(LBT)手順を用いることができる。無認可スペクトルにおける動作は、ダウンリンク送信、アップリンク送信、または両方を含み得る。無認可スペクトルにおける複信は、周波数分割複信(FDD)、TDD、または両方の組合せに基づき得る。
【００５１】
共有または無認可周波数スペクトル中で動作するデバイスは、チャネルが利用可能であるかどうかを判断するために、通信するのに先立って、クリアチャネル評価(CCA)などのLBT手順を実施し得る。CCAは、任意の他のアクティブな送信があるかどうかを判断するためのエネルギー検出手順を含み得る。たとえば、デバイスは、電力メーターの受信信号強度インジケータ(RSSI)の変化が、チャネルが占有されていることを示すと推論し得る。具体的には、一定の帯域幅に集中し、所定の雑音フロアを超える信号電力は、別のワイヤレス送信機を示し得る。CCAはまた、チャネルの使用を示す特定のシーケンスの検出を含み得る。たとえば、別のデバイスは、データシーケンスを送信する前に特定のプリアンブルを送信し得る。
【００５２】
いくつかのタイプのワイヤレスデバイスが自動化通信を提供し得る。自動化ワイヤレスデバイスは、マシンツーマシン(M2M)通信またはMTCを実装するデバイスを含む場合がある。M2MまたはMTCは、人が介在することなく、デバイスが互いとまたは基地局と通信することを可能するデータ通信技術を指す場合がある。たとえば、M2MまたはMTCは、センサーまたはメーターを組み込んで情報を測定またはキャプチャし、その情報を利用することができる中央サーバまたはアプリケーションプログラムにその情報を中継するか、またはプログラムもしくはアプリケーションと対話する人間に情報を提示するデバイスからの通信を指すことがある。
【００５３】
上述のように、いくつかのUE115は、情報を収集するか、または機械の自動化された挙動を可能にするように設計されたMTCデバイスなどのMTCデバイスであり得る。MTCデバイスのための適用例の例としては、スマートメータリング、インベントリ監視、水位監視、機器監視、ヘルスケア監視、野生生物監視、天候および地質学的事象監視、フリート管理およびトラッキング、リモートセキュリティ検知、物理的アクセス制御、ならびにトランザクションベースのビジネス課金がある。MTCデバイスは、低減されたピークレートで半二重(一方向)通信を使用して動作し得る。MTCデバイスはまた、アクティブ通信に関与していないとき、電力節約「ディープスリープ」モードに入るように構成され得る。
【００５４】
eMTCデバイスは、低減されたピークレートで半二重通信を使用して動作することもできる。eMTCデバイスはまた、アクティブ通信に関与していないとき、電力節約「ディープスリープ」モードに入るように構成され得る。eMTC展開は、リソース柔軟性を提供することができ、LTE/LTE-Aシステムに関連付けられたいくつかのチャネル、および無認可スペクトル中の他のチャネルを使うことができる。いくつかの例では、eMTCデバイスは、スケーラブル帯域幅を介して(たとえば、1つのリソースブロック(RB)と6つのRBとの間で)通信することができ、eMTCデバイスは、1Mbpsの最大データレートを有し得る。eMTCデバイスは、電力制限される場合があり、電力使用を制限する特徴をサポートすることができる。ただし、アイドルモードから接続モードへの、eMTCデバイスの遷移のための捕捉手順は、電力を消費し得る。追加または代替として、eMTCデバイスが、帯域内展開モードでの動作用に設計されてよい。(たとえば、無認可スペクトル中での)スタンドアロン展開モードのために、eMTCデバイスにおける物理(PHY)、媒体アクセス制御(MAC)、および上位レイヤ手順は煩雑になり得る。
【００５５】
NB-IoTデバイスは、eMTCデバイスまたはより高い最大結合損失(MCL)をサポートする低電力デバイスのサブセットであってよく、より速いセル捕捉および探索のための電力増大をサポートする同期チャネルを含み得る。これらの特徴により、eMTCデバイスと比較して、(たとえば、無認可スペクトル中の)スタンドアロン展開モードでのNB-IoTデバイスの動作の効率が増し得る。さらに、アイドルモードから接続モードへのNB-IoTデバイスの遷移のための捕捉手順は、eMTCデバイス向けの同じ手順程には電力を消費しない可能性がある。ただし、NB-IoTデバイスは、スケーラブル帯域幅を介した通信をサポートしない場合がある。そうではなく、NB-IoTデバイスは、アップリンク通信用の66kbpsの最大データレートをもつ、1つのトーンと1RBとの間のリソースの範囲を使って通信することができる。いくつかのケースでは、このリソース範囲は、(たとえば、地理的領域によっては)無認可スペクトル中での動作のための最小帯域幅要件に準拠しなくてよい。さらに、このリソース範囲では、デバイスは、無認可スペクトル中での送信のための最小電力を用いて送信をすることができない場合がある。したがって、ワイヤレス通信システム100は、NB-IoT展開とeMTC展開の両方の特徴をサポートするように修正されてよい。
【００５６】
したがって、ワイヤレス通信システム100は、異なる能力をもつデバイスからなる単一のネットワークのための、スケーラブル帯域幅を介した通信をサポートすることができる。基地局105が、UE115を、UE115の能力またはカテゴリに基づいて、複数のキャリア上での通信用に構成し得る。基地局105は次いで、構成に基づいて、UE115との通信にリソースを割り振ってよい。リソース割振りは、無認可スペクトルの単一のキャリアまたは複数のキャリア上での通信用であってよい。各キャリアは、無認可スペクトルの異なる狭帯域領域に関連付けられ得る。リソース割振り(またはリソースの割当て)を受信した後、UE115は、割り振られたリソースを使って、基地局105と通信することができる。基地局105は、リソースの割振りおよびUE115の能力に基づいて、制御およびデータ信号を、UE115への送信用に(またはその反対に)フォーマットしてよい。
【００５７】
図2は、本開示の様々な態様による、無認可スペクトル中での異なるデバイス能力向けの狭帯域通信の例を示す、ワイヤレス通信システム200の図を示す。ワイヤレス通信システム200は、図1を参照して説明した基地局105の例であり得る基地局105-aを含み得る。ワイヤレス通信システム200は、図1を参照して説明したUE115の例であり得るUE115-aも含み得る。基地局105-aは、それぞれのカバレージエリア110-aに通信カバレージを提供することができ、このカバレージエリアは、図1を参照して記載したカバレージエリア110の例であり得る。基地局105-aは、アンカーキャリア205を使って、および/または非アンカーキャリア210を使って、UE115-aと通信することができる。いくつかのケースでは、非アンカーキャリア210の各キャリアは、非アンカーキャリア210の別のキャリアに隣接し得る。
【００５８】
ワイヤレス通信システム200は、複数の地理的領域における無認可スペクトルの効率的使用を可能にする、無認可スペクトルにおける狭帯域通信のための技法をサポートし得る。いくつかの例では、基地局105-aは、アンカーキャリア205へのアクセスを得るためにLBT手順を実施してよい。アンカーキャリア205へのアクセスを得た後、基地局105-aは、UE115-aに構成メッセージを送信し得る。UE115-aは、構成メッセージを求めてアンカーキャリア205を監視し、基地局105-aから構成メッセージを受信し得る。構成メッセージは、無認可スペクトル中での基地局105-aとの通信用の、非アンカーキャリア210の構成を識別することができる。いくつかのケースでは、構成メッセージは、たとえば、UE115-aが接続モードにあるとき、RRCシグナリング中に含まれてよい。アンカーキャリア205および非アンカーキャリア210は各々、無認可スペクトルの異なる狭帯域領域を占め得る。
【００５９】
いくつかのケースでは、基地局105-aは、同期信号(たとえば、PSSおよび/またはSSS)とともに構成メッセージをアンカーキャリア205上で送信することができる。UE115-aは、アンカーキャリア205を監視し、基地局105-aから同期信号を受信し得る。UE115-aは次いで、同期信号送信の中の構成メッセージを識別することができる。アンカーキャリアは、特定のUE(たとえば、UE115-a)との通信に、または複数のUE115との通信に使われ得る。いくつかのケースでは、UE115-aは、同期信号を求めてアンカーキャリア205を監視するように事前構成されてよい。複数のキャリアではなく単一のアンカーキャリア205を監視することによって、UE115-aは、電力消費を削減することができる。追加または代替として、UE115-aは、アンカーキャリア205へのアクセスを得るために、(たとえば、物理ランダムアクセスチャネル(PRACH)を使って)ランダムアクセス手順を実施することができ、UE115-aは、ランダムアクセス手順中に構成メッセージを受信し得る。
【００６０】
構成メッセージによって示される構成を識別した後、UE115-aは、RRCアイドルモードからRRC接続モードに遷移し、複数のキャリア(たとえば、非アンカーキャリア210)を監視し始めてよい。UE115-aは、(たとえば、1つのトーンと複数のRBとの間での)リソースの割振りを、基地局105-aとの通信用に、非アンカーキャリア210上で基地局105-aから受信し得る。リソース割振りは、構成に依存してよく、アンカーキャリア205または非アンカーキャリア210の時間周波数リソースを含み得る。これらの技法は、構成可能な数のキャリア上での同時送信をサポートすることができ、基地局105-aと、異なるデバイスタイプ展開(たとえば、eMTCまたはNB-IoTデバイス)との間の通信をサポートすることができる。さらに、リソースの柔軟な割振りは、無認可スペクトル中での、基地局105-aとUE115-aとの間の通信用の、より高いデータレートをサポートし得る。
【００６１】
いくつかの例では、基地局105-aからのリソース割振りは、UE115-aへのダウンリンク送信用に割り振られるリソースを含み得る。基地局105-aは、制御チャネル(たとえば、狭帯域物理ダウンリンク制御チャネル(NPDCCH)またはeMTC物理ダウンリンク制御チャネル(MPDCCH))を介して、UE115-aに制御メッセージを送信し得る。基地局105-aは、UE115-aに割り振られたリソース(たとえば、アンカーキャリア205および/または非アンカーキャリア210)と、UE115-aの能力とに基づいて、制御メッセージ送信をフォーマットしてよい。他の例では、基地局105-aは、データチャネル(たとえば、PDSCH)を介してUE115-aにデータを送信し得る。基地局105-aは、UE115-aに割り振られたリソース(たとえば、アンカーキャリア205および/または非アンカーキャリア210)と、UE115-aの能力とに基づいて、データ送信をフォーマットしてよい。
【００６２】
他の例では、基地局105-aからのリソース割振りは、UE115-aからのアップリンク送信用に割り振られるリソースを含み得る。いくつかの例では、UE115-aは、制御チャネル(たとえば、PUCCH)を介して基地局105-aに制御メッセージを送信し得る。UE115-aは、UE115-aに割り振られたリソース(たとえば、アンカーキャリア205および/または非アンカーキャリア210)と、UE115-aの能力とに基づいて、制御メッセージ送信をフォーマットしてよい。他の例では、UE115-aは、データチャネル(たとえば、狭帯域物理アップリンク共有チャネル(NPUSCH)またはeMTC物理アップリンク共有チャネル(MPUSCH))を介して基地局105-aにデータを送信し得る。UE115-aは、UE115-aに割り振られたリソース(たとえば、アンカーキャリア205および/または非アンカーキャリア210)と、UE115-aの能力とに基づいて、データ送信をフォーマットしてよい。
【００６３】
図3は、本開示の態様による、異なるデバイス能力向けの、無認スペクトルにおける狭帯域通信のためのキャリア構成300の例を示す。キャリア構成300はアンカーキャリア310を含んでよく、アンカーキャリア310は、図2を参照して説明したアンカーキャリア205の例であり得る。キャリア構成300は、非アンカーキャリア315および非アンカーキャリア320も含んでよく、これらは、図2を参照して説明した非アンカーキャリア210の例であり得る。
【００６４】
セルラーネットワークにおけるデータトラフィックの増加とともに、少なくとも一部のデータトラフィックの、無認可無線周波数スペクトル帯域305へのオフローディングは、セルラー事業者に拡張データ送信容量のための機会を提供し得る。いくつかのケースでは、複数のモバイルネットワーク事業者に関連付けられたデバイスが、無認可または共有認可無線周波数にアクセスするために、互いと競合し得る。したがって、基地局105またはUE115が無認可無線周波数スペクトル帯域305へのアクセスを得ると、無認可無線周波数スペクトル帯域305のリソースの効率的使用をサポートすることが有益であり得る。
【００６５】
第1のUE115(図3には示さないが、たとえば、図1に示すUE115の例であってよい)は、ダウンリンク送信用に、アンカーキャリア310-aの周波数の部分またはすべて(たとえば、ダウンリンク部分)を監視することができ、第2のUE115(図3には示さないが、たとえば、図1に示すUE115の例であってよい)は、基地局105(図3には示さないが、たとえば、図1に示す基地局105の例であってよい)からのダウンリンク送信用に、アンカーキャリア310-aの周波数の部分またはすべて(たとえば、ダウンリンク部分)を監視することができる。アンカーキャリア310を監視することによって、第1のUE115および第2のUE115は、基地局105からのダウンリンク送信用に複数のキャリアを監視するのと比較すると、電力を温存することができる。
【００６６】
第1のUE115は、アンカーキャリア310-a上で第1の構成メッセージを受信することができ、第2のUE115は、アンカーキャリア310-a上で第2の構成メッセージを受信することができる。各構成メッセージは、各UE115が基地局105との通信用に使うための追加キャリア用の構成を示し得る。代替として、各UE115は、無認可無線周波数スペクトル帯域305中の異なる帯域幅および/または中心周波数をもつ異なるアンカーキャリアを監視するように構成されてよい。第1のUE115は、第1の構成メッセージを復号し(たとえば、ブラインド復号し)、基地局105と通信する際に使用するための非アンカーキャリア315を識別することができる。いくつかのケースでは、非アンカーキャリア315の各キャリアは、非アンカーキャリア315の別のキャリアに隣接し得る(たとえば、非アンカーキャリア315-aは、非アンカーキャリア315-bに隣接し得る)。第2のUE115は、第2の構成メッセージを復号し(たとえば、ブラインド復号し)、基地局105と通信する際に使用するための非アンカーキャリア320を識別することができる。いくつかの例では、無認可無線周波数スペクトル帯域305中の各非アンカーキャリア315または320は、無認可無線周波数スペクトル帯域305の異なる狭帯域領域中に位置し得る。
【００６７】
通信用の追加キャリアの構成を判断した後、第1のUE115は、アンカーキャリア310-b(たとえば、アンカーキャリア310-aと同じであってよい)を監視するのに加え、非アンカーキャリア315を監視し始めてよい。同様に、第2のUE115は、アンカーキャリア310-bを監視するのに加え、非アンカーキャリア320を監視し始めてよい。これは、第1のUE115におけるRFチェーンを、非アンカーキャリア315上で信号を受信するように同調させること、および第2のUE115におけるRFチェーンを、非アンカーキャリア320上で信号を受信するように同調させることを含み得る。第1のUE115は次いで、非アンカーキャリア315上での基地局105との通信用に、非アンカーキャリア315上でリソース割振りを受信し得る。いくつかのケースでは、リソース割振りは、非アンカーキャリア315すべての上での通信用でなくてよい。
【００６８】
第2のUE115も、非アンカーキャリア320上での基地局105との通信用に、非アンカーキャリア320上でリソース割振りを受信し得る。各UE115は次いで、リソース割振りおよび構成されたキャリアに基づいて、基地局105と通信し得る。キャリアの構成およびリソース割振りは、無認可無線周波数スペクトル帯域305中で動作するデバイスの能力またはカテゴリに基づき得る。無認スペクトルにおける狭帯域通信のこの方法により、複数の地理的領域にわたる一貫した動作ができるようになる可能性があり、というのは、構成およびリソース割振りが、たとえば、異なる地理的領域中の帯域幅および送信電力要件に依存して、柔軟であり得るからである。第1のUE115は、非アンカーキャリア315上で、およびアンカーキャリア310-bの周波数の部分またはすべて(たとえば、アップリンク部分)の上で送信をすることができる。第2のUE115は、非アンカーキャリア320上で、およびアンカーキャリア310-bの周波数の部分またはすべて(たとえば、アップリンク部分)の上で送信をすることができる。
【００６９】
図4は、本開示の態様による、異なるデバイス能力向けの、無認スペクトルにおける狭帯域通信のためのプロセスフロー400の例を示す。いくつかのケースでは、プロセスフロー400は、図1、図2、または図3を参照して説明したような、UE115または基地局105によって実施される技法の態様を表し得る。本例において、基地局105-bは、無認可スペクトル中でUE115-bと通信し得る。UE115-bは、NB-IoTデバイスなどの低データレートデバイス、または限られた電源をもつ低SNR環境において動作する別のデバイスであってよい。
【００７０】
ステップ405において、無認可無線周波数スペクトル帯域の第1の狭帯域領域中の第1のキャリア(たとえば、図2および図3を参照して記載したアンカーキャリア)のリソース上で構成メッセージを、基地局105-bは送信することができ、UE115-bは受信することができる。いくつかのケースでは、構成メッセージ送信に先立って、UE115-bは、第1のキャリア上で(たとえば、アンカーキャリアのアップリンク部分上で)UE115-bの能力またはカテゴリの指示を基地局105-bに送信し得る。そのようなケースでは、構成メッセージは、UE115-bの能力またはカテゴリに基づき得る。いくつかの例では、UE115-bは、第1のキャリアのリソースを使ってランダムアクセス手順を実施することができ、UE115-bは、ランダムアクセス手順中に構成メッセージを受信することができる。基地局105-bは、無認可無線周波数スペクトル帯域の第1の狭帯域領域中の第1のキャリア上で、追加構成メッセージを第2のUE115に送信することもできる(図示せず)。追加構成メッセージは、異なる狭帯域領域中に各々があってよい追加キャリアの第2のセットの構成を識別し得る。
【００７１】
ブロック410において、UE115-bは、構成メッセージに基づいて、基地局105-bとの通信用の追加キャリア(たとえば、図2および図3を参照して記載した非アンカーキャリア)の構成を識別し得る。いくつかのケースでは、追加キャリアの各キャリアは、無認可無線周波数スペクトル帯域の異なる狭帯域領域中にあってよい。追加または代替として、追加キャリアは互いに隣接し得る。いくつかの例では、各狭帯域領域の帯域幅は、12個のLTEサブキャリア(たとえば、1RB)の帯域幅を含み得る。追加キャリアの構成は、UE115-bの能力またはカテゴリに基づき得る。いくつかのケースでは、UE115-bは、第1のキャリアのリソース上でシステム情報ブロードキャストメッセージを受信することができ、UE115-bは、システム情報ブロードキャストメッセージに基づいて、無認可無線周波数スペクトル帯域の異なる狭帯域領域を識別することができる。追加または代替として、構成の中のキャリアの数は、UE115-bの能力またはカテゴリに基づき得る。
【００７２】
いくつかのケースでは、UE115-bは、第1のキャリア(たとえば、アンカーキャリア)のリソース上で同期信号(たとえば、PSSおよび/またはSSS)を受信し得る。UE115-bは、RRCアイドルモードで動作する間、同期信号を監視し得る。UE115-bは、同期信号に基づいて、無認可無線周波数スペクトル帯域の第1の狭帯域領域のロケーションを識別し得る。追加または代替として、UE115-bは、同期信号を受信したことに基づいて、基地局105-bが、無認可無線周波数スペクトル帯域の第1の狭帯域領域および異なる狭帯域領域へのアクセスを得たと判断してよい。UE115-bは次いで、基地局が第1の狭帯域領域および異なる狭帯域領域へのアクセスを得たと判断したことに基づいて、1つまたは複数のRFチェーンを、異なる狭帯域領域の周波数に同調させてよい。
【００７３】
ステップ415において、無認可無線周波数スペクトル帯域の異なる狭帯域領域中の追加キャリア上で、リソースの割当てを、基地局105-bは送信してよく、UE115-bは受信してよい。いくつかのケースでは、基地局105-bは、リソース割当てをダウンリンク制御メッセージ(たとえば、DCI)中に含めてよく、ダウンリンク制御メッセージのフォーマットは、UE115-bの能力またはカテゴリに基づき得る。
【００７４】
ステップ420において、UE115-bおよび基地局105-bは、リソース割当てに従って、無認可無線周波数スペクトル帯域の異なる狭帯域領域中の追加キャリア上で通信し得る。いくつかの例では、追加キャリアのリソース上でダウンリンクデータメッセージを、基地局105-bは送信することができ、UE115-bは受信することができ、ダウンリンクデータメッセージのフォーマットは、UE115-bの能力またはカテゴリに基づき得る。さらなる例では、UE115-bは、アップリンク制御メッセージまたはアップリンクデータメッセージを第1のキャリアのリソース上で送信することができ、アップリンクメッセージのフォーマットは、UE115-bの能力またはカテゴリに基づき得る。またさらなるケースでは、UE115-bは、アップリンク制御メッセージまたはアップリンクデータメッセージを追加キャリアのリソース上で送信することができ、アップリンクメッセージのフォーマットは、UE115-bの能力またはカテゴリに基づき得る。
【００７５】
図5は、本開示の様々な態様による、無認可スペクトル中での異なるデバイス能力向けの狭帯域通信をサポートするワイヤレスデバイス505のブロック図500を示す。ワイヤレスデバイス505は、図1を参照して説明したUE115の態様の例であり得る。ワイヤレスデバイス505は、受信機510、UE狭帯域通信マネージャ515、および送信機520を含み得る。ワイヤレスデバイス505はプロセッサも含み得る。これらの構成要素の各々は、互いに(たとえば、1つまたは複数のバスを介して)通信し得る。
【００７６】
受信機510は、パケット、ユーザデータ、または様々な情報チャネルに関連付けられた制御情報(たとえば、制御チャネル、データチャネル、および無認可スペクトル中の異なるデバイス能力向けの狭帯域通信に関係する情報)などの情報を受信し得る。情報は、デバイスの他の構成要素に渡されてよい。受信機510は、図8を参照して説明するトランシーバ835の態様の例であってよい。
【００７７】
UE狭帯域通信マネージャ515は、図8を参照して説明するUE狭帯域通信マネージャ815の態様の例であってよい。UE狭帯域通信マネージャ515は、無認可無線周波数スペクトル帯域の第1の狭帯域領域中の第1のキャリアのリソース上で構成メッセージを受信し、構成メッセージに基づいて、無認可無線周波数スペクトル帯域の異なる狭帯域領域中に各々がある1つまたは複数の追加キャリアの構成を識別し、第1のキャリアのリソース上で、無認可無線周波数スペクトル帯域の異なる狭帯域領域中の1つまたは複数の追加キャリア上でのリソースの割当てを受信し、割当てに従って、無認可無線周波数スペクトル帯域の異なる狭帯域領域中の1つまたは複数の追加キャリア上で通信することができる。
【００７８】
送信機520は、デバイスの他の構成要素によって生成された信号を送信し得る。いくつかの例では、送信機520は、トランシーバモジュールの中で受信機510と一緒に置かれてよい。たとえば、送信機520は、図8を参照して説明するトランシーバ835の態様の例であってよい。送信機520は、単一のアンテナを含み得るか、またはアンテナのセットを含み得る。
【００７９】
図6は、本開示の様々な態様による、無認可スペクトル中での異なるデバイス能力向けの狭帯域通信をサポートするワイヤレスデバイス605のブロック図600を示す。ワイヤレスデバイス605は、図1〜図5を参照して説明したようなワイヤレスデバイス505またはUE115の態様の例であってよい。ワイヤレスデバイス605は、受信機610、UE狭帯域通信マネージャ615、および送信機620を含み得る。ワイヤレスデバイス605はプロセッサも含み得る。これらの構成要素の各々は、(たとえば、1つまたは複数のバスを介して)互いに通信し得る。
【００８０】
受信機610は、パケット、ユーザデータ、または様々な情報チャネル(たとえば、制御チャネル、データチャネル、および無認可スペクトル中の異なるデバイス能力向けの狭帯域通信に関係する情報)に関連付けられた制御情報などの情報を受信し得る。情報は、デバイスの他の構成要素に渡されてよい。受信機610は、図8を参照して説明するトランシーバ835の態様の例であってよい。
【００８１】
UE狭帯域通信マネージャ615は、図8を参照して説明するUE狭帯域通信マネージャ815の態様の例であってよい。UE狭帯域通信マネージャ615は、構成メッセージング構成要素625、構成識別器630、リソース割当てマネージャ635、および狭帯域通信構成要素640も含み得る。構成メッセージング構成要素625は、無認可無線周波数スペクトル帯域の第1の狭帯域領域中の第1のキャリアのリソース上で、構成メッセージを(たとえば、受信機610から)受信し得る。構成識別器630は、構成メッセージに基づいて、無認可無線周波数スペクトル帯域の異なる狭帯域領域中に各々がある1つまたは複数の追加キャリアの構成を識別することができる。
【００８２】
リソース割当てマネージャ635は、第1のキャリアのリソース上で、無認可無線周波数スペクトル帯域の異なる狭帯域領域中の1つまたは複数の追加キャリア上でのリソースの割当てを(たとえば、受信機610から)受信し得る。狭帯域通信構成要素640は、割当てに従って、無認可無線周波数スペクトル帯域の異なる狭帯域領域中の1つまたは複数の追加キャリア上で(たとえば、受信機610および送信機620を介して)通信し、第1の狭帯域領域中の第1のキャリアのリソース上でアップリンクメッセージを送信し得る。いくつかのケースでは、1つまたは複数の追加キャリアは、互いに隣接する。いくつかのケースでは、各狭帯域領域の帯域幅は、12個のLTEサブキャリア(1RB)の帯域幅を含む。
【００８３】
送信機620は、デバイスの他の構成要素によって生成された信号を送信し得る。いくつかの例では、送信機620は、トランシーバモジュールの中で受信機610と一緒に置かれてよい。たとえば、送信機620は、図8を参照して説明するトランシーバ835の態様の例であってよい。送信機620は、単一のアンテナを含み得るか、またはアンテナのセットを含み得る。
【００８４】
図7は、本開示の様々な態様による、無認可スペクトル中での異なるデバイス能力向けの狭帯域通信をサポートするUE狭帯域通信マネージャ715のブロック図700を示す。UE狭帯域通信マネージャ715は、図5、図6、および図8を参照して説明したUE狭帯域通信マネージャ515、UE狭帯域通信マネージャ615、またはUE狭帯域通信マネージャ815の態様の例であり得る。UE狭帯域通信マネージャ715は、構成メッセージング構成要素720、構成識別器725、リソース割当てマネージャ730、狭帯域通信構成要素735、デバイス能力マネージャ740、システム情報マネージャ745、ランダムアクセス構成要素750、および同期構成要素755を含み得る。これらのモジュールの各々は、(たとえば、1つまたは複数のバスを介して)互いに直接または間接的に通信し得る。
【００８５】
構成メッセージング構成要素720は、無認可無線周波数スペクトル帯域の第1の狭帯域領域中の第1のキャリアのリソース上で、構成メッセージを受信し得る。構成識別器725は、構成メッセージに基づいて、無認可無線周波数スペクトル帯域の異なる狭帯域領域中に各々がある1つまたは複数の追加キャリアの構成を識別することができる。リソース割当てマネージャ730は、第1のキャリアのリソース上で、無認可無線周波数スペクトル帯域の異なる狭帯域領域中の1つまたは複数の追加キャリア上でのリソースの割当てを受信し得る。
【００８６】
狭帯域通信構成要素735は、割当てに従って、無認可無線周波数スペクトル帯域の異なる狭帯域領域中の1つまたは複数の追加キャリア上で通信し、第1の狭帯域領域中の第1のキャリアのリソース上でアップリンクメッセージを送信し得る。いくつかのケースでは、1つまたは複数の追加キャリアは、互いに隣接する。いくつかのケースでは、各狭帯域領域の帯域幅は、12個のLTEサブキャリア(1RB)の帯域幅を含む。
【００８７】
デバイス能力マネージャ740は、第1のキャリアのリソース上で、ワイヤレスデバイスの能力またはカテゴリの指示を送信することであって、1つまたは複数の追加キャリアの構成は、ワイヤレスデバイスの能力またはカテゴリに基づく、ことと、第1のキャリアのリソース上でアップリンク制御メッセージを送信することであって、アップリンク制御メッセージのフォーマットは、ワイヤレスデバイスの能力またはカテゴリに基づく、こととを行うことができる。いくつかのケースでは、構成の中の1つまたは複数の追加キャリアの数は、ワイヤレスデバイスの能力またはカテゴリに基づく。いくつかのケースでは、リソースの割当てを受信することは、ワイヤレスデバイスの能力またはカテゴリに基づくフォーマットを有するダウンリンク制御メッセージを受信することを含む。いくつかのケースでは、1つまたは複数の追加キャリア上で通信することは、1つまたは複数の追加キャリアのリソース上でダウンリンクデータメッセージを受信することを含み、ダウンリンクデータメッセージのフォーマットは、ワイヤレスデバイスの能力またはカテゴリに基づく。いくつかのケースでは、1つまたは複数の追加キャリア上で通信することは、1つまたは複数の追加キャリアのリソース上でアップリンク制御メッセージまたはアップリンクデータメッセージを送信することを含み、アップリンク制御メッセージまたはアップリンクデータメッセージのフォーマットは、ワイヤレスデバイスの能力またはカテゴリに基づく。
【００８８】
システム情報マネージャ745は、第1のキャリアのリソース上でシステム情報ブロードキャストメッセージを受信し、システム情報ブロードキャストメッセージに基づいて、無認可無線周波数スペクトル帯域の異なる狭帯域領域を識別することができる。ランダムアクセス構成要素750は、第1のキャリアのリソースを使ってランダムアクセス手順を実施することができ、構成メッセージは、ランダムアクセス手順中に受信される。
【００８９】
同期構成要素755は、第1のキャリアのリソース上で1つまたは複数の同期信号を受信することと、1つまたは複数の同期信号に基づいて、無認可無線周波数スペクトル帯域の第1の狭帯域領域のロケーションを識別することと、1つまたは複数の同期信号を受信したことに基づいて、基地局が、無認可無線周波数スペクトル帯域の第1の狭帯域領域および異なる狭帯域領域へのアクセスを得たと判断することと、基地局が第1の狭帯域領域および異なる狭帯域領域へのアクセスを得たと判断したことに基づいて、1つまたは複数のRFチェーンを、異なる狭帯域領域の周波数に同調させることと、RRCアイドルモードで動作する間、1つまたは複数の同期信号を監視することとを行うことができる。いくつかのケースでは、1つまたは複数の同期信号は、PSSおよびSSSを含む。
【００９０】
図8は、本開示の様々な態様による、無認可スペクトルにおける、異なるデバイス能力向けの狭帯域通信をサポートするデバイス805を含むシステム800の図を示す。デバイス805は、たとえば、図1、図5、および図6を参照して上記で説明したような、ワイヤレスデバイス505、ワイヤレスデバイス605、またはUE115の構成要素の例であってよく、またはそれを含んでよい。デバイス805は、UE狭帯域通信マネージャ815と、プロセッサ820と、メモリ825と、ソフトウェア830と、トランシーバ835と、アンテナ840と、I/Oコントローラ845とを含む、通信を送信および受信するための構成要素を含む、双方向音声およびデータ通信のための構成要素を含んでよい。これらの構成要素は、1つまたは複数のバス(たとえば、バス810)を介して電子通信し得る。デバイス805は、1つまたは複数の基地局105とワイヤレス通信し得る。
【００９１】
プロセッサ820は、インテリジェントハードウェアデバイス(たとえば、汎用プロセッサ、デジタル信号プロセッサ(DSP)、中央処理ユニット(CPU)、マイクロコントローラ、特定用途向け集積回路(ASIC)、フィールドプログラマブルゲートアレイ(FPGA)、プログラマブル論理デバイス、個別ゲートもしくはトランジスタ論理構成要素、個別ハードウェア構成要素、またはそれらの任意の組合せ)を含み得る。いくつかのケースでは、プロセッサ820は、メモリコントローラを使ってメモリアレイを操作するように構成され得る。他のケースでは、メモリコントローラは、プロセッサ820の中に統合されてよい。プロセッサ820は、様々な機能(たとえば、無認可スペクトルにおける異なるデバイス能力向けの狭帯域通信をサポートする機能またはタスク)を実施するためにメモリ内に記憶されたコンピュータ可読命令を実行するように構成され得る。
【００９２】
メモリ825は、ランダムアクセスメモリ(RAM)および読取専用メモリ(ROM)を含み得る。メモリ825は、実行されると、プロセッサに、本明細書で説明する様々な機能を実施させる命令を含むコンピュータ可読コンピュータ実行可能ソフトウェア830を記憶することができる。いくつかのケースは、メモリ825は、特に、周辺構成要素またはデバイスとの相互作用など、基本的ハードウェアおよび/またはソフトウェア動作を制御し得る基本入出力システム(BIOS)を含み得る。
【００９３】
ソフトウェア830は、無認可スペクトル中での異なるデバイス能力向けの狭帯域通信をサポートするためのコードを含む、本開示の態様を実装するためのコードを含み得る。ソフトウェア830は、システムメモリまたは他のメモリなどの非一時的コンピュータ可読媒体内に記憶され得る。いくつかのケースでは、ソフトウェア830は、プロセッサによって直接実行可能でないことがあるが、(たとえば、コンパイルおよび実行されたとき)本明細書で説明する機能をコンピュータに実施させてよい。
【００９４】
トランシーバ835は、上記で説明したように、1つまたは複数のアンテナ、ワイヤードリンク、またはワイヤレスリンクを介して、双方向に通信し得る。たとえば、トランシーバ835はワイヤレストランシーバを表し、別のワイヤレストランシーバと双方向に通信し得る。トランシーバ835はまた、パケットを変調し、変調されたパケットを送信のためにアンテナに与え、かつアンテナから受信されたパケットを復調するためのモデムを含み得る。
【００９５】
いくつかのケースでは、ワイヤレスデバイスは単一のアンテナ840を含み得る。しかしながら、いくつかのケースでは、デバイスは、複数のワイヤレス送信を同時に送信または受信することが可能であり得る複数のアンテナ840を有し得る。I/Oコントローラ845は、デバイス805向けの入力および出力信号を管理することができる。I/Oコントローラ845は、デバイス805の中に統合されていない周辺機器を管理することもできる。いくつかのケースでは、I/Oコントローラ845は、外部周辺機器への物理接続またはポートを表し得る。いくつかのケースでは、I/Oコントローラ845は、iOS(登録商標)、ANDROID(登録商標)、MS-DOS(登録商標)、MS-WINDOWS(登録商標)、OS/2(登録商標)、UNIX(登録商標)、LINUX(登録商標)、または別の知られているオペレーティングシステムなどのオペレーティングシステムを使用することができる。
【００９６】
図9は、本開示の様々な態様による、無認可スペクトル中での異なるデバイス能力向けの狭帯域通信をサポートするワイヤレスデバイス905のブロック図900を示す。ワイヤレスデバイス905は、図1〜図4を参照して説明した基地局105の態様の例であり得る。ワイヤレスデバイス905は、受信機910、基地局狭帯域通信マネージャ915、および送信機920を含み得る。ワイヤレスデバイス905はプロセッサも含み得る。これらの構成要素の各々は、(たとえば、1つまたは複数のバスを介して)互いに通信し得る。
【００９７】
受信機910は、パケット、ユーザデータ、または様々な情報チャネルに関連付けられた制御情報(たとえば、制御チャネル、データチャネル、および無認可スペクトル中の異なるデバイス能力向けの狭帯域通信に関係する情報)などの情報を受信し得る。情報は、デバイスの他の構成要素に渡されてよい。受信機910は、図12を参照して説明するトランシーバ1235の態様の例であってよい。
【００９８】
基地局狭帯域通信マネージャ915は、図12を参照して説明する基地局狭帯域通信マネージャ1215の態様の例であってよい。基地局狭帯域通信マネージャ915は、無認可無線周波数スペクトル帯域の第1の狭帯域領域中の第1のキャリアのリソース上で、第1のワイヤレスデバイスに構成メッセージを(たとえば、送信機920を介して)送信することであって、構成メッセージは、無認可無線周波数スペクトル帯域の異なる狭帯域領域中に各々がある追加キャリアの第1のセットの構成を識別することと、第1のキャリアのリソース上で第1のワイヤレスデバイスに、無認可無線周波数スペクトル帯域の異なる狭帯域領域中の追加キャリアの第1のセット上でのリソースの割当てを送信することと、割当てに従って、無認可無線周波数スペクトル帯域の異なる狭帯域領域中の追加キャリアの第1のセット上で第1のワイヤレスデバイスと通信することとを行うことができる。
【００９９】
送信機920は、デバイスの他の構成要素によって生成された信号を送信し得る。いくつかの例では、送信機920は、トランシーバモジュールの中で受信機910と一緒に置かれてよい。たとえば、送信機920は、図12を参照して説明するトランシーバ1235の態様の例であってよい。送信機920は、単一のアンテナを含み得るか、またはアンテナのセットを含み得る。
【０１００】
図10は、本開示の様々な態様による、無認可スペクトル中での異なるデバイス能力向けの狭帯域通信をサポートするワイヤレスデバイス1005のブロック図1000を示す。ワイヤレスデバイス1005は、図1、図2、図3、図4、および図9を参照して説明したワイヤレスデバイス905または基地局105の態様の例であってよい。ワイヤレスデバイス1005は、受信機1010、基地局狭帯域通信マネージャ1015、および送信機1020を含み得る。ワイヤレスデバイス1005はプロセッサも含み得る。これらの構成要素の各々は、(たとえば、1つまたは複数のバスを介して)互いに通信し得る。
【０１０１】
受信機1010は、パケット、ユーザデータ、または様々な情報チャネルに関連付けられた制御情報(たとえば、制御チャネル、データチャネル、および無認可スペクトル中の異なるデバイス能力向けの狭帯域通信に関係する情報)などの情報を受信し得る。情報は、デバイスの他の構成要素に渡されてよい。受信機1010は、図12を参照して説明するトランシーバ1235の態様の例であってよい。
【０１０２】
基地局狭帯域通信マネージャ1015は、図12を参照して説明する基地局狭帯域通信マネージャ1215の態様の例であってよい。基地局狭帯域通信マネージャ1015は、構成メッセージング構成要素1025、リソース割当てマネージャ1030、および狭帯域通信構成要素1035も含み得る。構成メッセージング構成要素1025は、無認可無線周波数スペクトル帯域の第1の狭帯域領域中の第1のキャリアのリソース上で、構成メッセージを第1のワイヤレスデバイスに送信することができ、構成メッセージは、無認可無線周波数スペクトル帯域の異なる狭帯域領域中に各々がある追加キャリアの第1のセットの構成を識別する。
【０１０３】
リソース割当てマネージャ1030は、第1のキャリアのリソース上で第1のワイヤレスデバイスに、無認可無線周波数スペクトル帯域の異なる狭帯域領域中の追加キャリアの第1のセット上でのリソースの割当てを送信することができる。狭帯域通信構成要素1035は、割当てに従って、無認可無線周波数スペクトル帯域の異なる狭帯域領域中の追加キャリアの第1のセット上で第1のワイヤレスデバイスと通信することと、無認可無線周波数スペクトル帯域の第1の狭帯域領域中の第1のキャリア上で、第2のワイヤレスデバイスに追加構成メッセージを送信することであって、追加構成メッセージは、各々が異なる狭帯域領域である追加キャリアの第2のセットの構成を識別する、ことと、第1の狭帯域領域中の第1のキャリアのリソース上で第1のワイヤレスデバイスからアップリンクメッセージを受信することとを行うことができる。いくつかのケースでは、追加キャリアの第1のセットの各キャリアは、追加キャリアの第1のセットの別のキャリアに隣接する。
【０１０４】
送信機1020は、デバイスの他の構成要素によって生成された信号を送信し得る。いくつかの例では、送信機1020は、トランシーバモジュールの中で受信機1010と一緒に置かれてよい。たとえば、送信機1020は、図12を参照して説明するトランシーバ1235の態様の例であってよい。送信機1020は、単一のアンテナを含み得るか、またはアンテナのセットを含み得る。
【０１０５】
図11は、本開示の様々な態様による、無認可スペクトル中での異なるデバイス能力向けの狭帯域通信をサポートする基地局狭帯域通信マネージャ1115のブロック図1100を示す。基地局狭帯域通信マネージャ1115は、図9、図10、および図12を参照して説明する基地局狭帯域通信マネージャ915、1015、または1215の態様の例であってよい。基地局狭帯域通信マネージャ1115は、構成メッセージング構成要素1120、リソース割当てマネージャ1125、狭帯域通信構成要素1130、デバイス能力マネージャ1135、システム情報マネージャ1140、ランダムアクセス構成要素1145、および同期構成要素1150を含み得る。これらのモジュールの各々は、(たとえば、1つまたは複数のバスを介して)互いに直接または間接的に通信し得る。
【０１０６】
構成メッセージング構成要素1120は、無認可無線周波数スペクトル帯域の第1の狭帯域領域中の第1のキャリアのリソース上で、構成メッセージを第1のワイヤレスデバイスに送信することができ、構成メッセージは、無認可無線周波数スペクトル帯域の異なる狭帯域領域中に各々がある追加キャリアの第1のセットの構成を識別する。リソース割当てマネージャ1125は、第1のキャリアのリソース上で第1のワイヤレスデバイスに、無認可無線周波数スペクトル帯域の異なる狭帯域領域中の追加キャリアの第1のセット上でのリソースの割当てを送信することができる。
【０１０７】
狭帯域通信構成要素1130は、割当てに従って、無認可無線周波数スペクトル帯域の異なる狭帯域領域中の追加キャリアの第1のセット上で第1のワイヤレスデバイスと通信することと、無認可無線周波数スペクトル帯域の第1の狭帯域領域中の第1のキャリア上で、第2のワイヤレスデバイスに追加構成メッセージを送信することであって、追加構成メッセージは、各々が異なる狭帯域領域である追加キャリアの第2のセットの構成を識別する、ことと、第1の狭帯域領域中の第1のキャリアのリソース上で第1のワイヤレスデバイスからアップリンクメッセージを受信することとを行うことができる。いくつかのケースでは、追加キャリアの第1のセットの各キャリアは、追加キャリアの第1のセットの別のキャリアに隣接する。
【０１０８】
デバイス能力マネージャ1135は、第1のキャリアのリソース上で第1のワイヤレスデバイスの能力またはカテゴリの指示を受信することであって、追加キャリアの第1のセットの構成は、第1のワイヤレスデバイスの能力またはカテゴリに基づく、ことと、第1のキャリアのリソース上でアップリンク制御メッセージを受信することであって、アップリンク制御メッセージのフォーマットは、第1のワイヤレスデバイスの能力またはカテゴリに基づく、こととを行うことができる。いくつかのケースでは、構成の中の追加キャリアの第1のセット中のキャリアの数は、第1のワイヤレスデバイスの能力またはカテゴリに基づく。いくつかのケースでは、リソースの割当てを送信することは、第1のワイヤレスデバイスの能力またはカテゴリに基づくフォーマットを有するダウンリンク制御メッセージを送信することを含む。いくつかのケースでは、追加キャリアの第1のセット上で通信することは、追加キャリアの第1のセットのリソース上でダウンリンクデータメッセージを送信することを含み、ダウンリンクデータメッセージのフォーマットは、第1のワイヤレスデバイスの能力またはカテゴリに基づく。いくつかのケースでは、追加キャリアの第1のセット上で通信することは、追加キャリアの第1のセットのリソース上でアップリンク制御メッセージまたはアップリンクデータメッセージを受信することを含み、アップリンク制御メッセージまたはアップリンクデータメッセージのフォーマットは、第1のワイヤレスデバイスの能力またはカテゴリに基づく。
【０１０９】
システム情報マネージャ1140は、第1のキャリアのリソース上でシステム情報ブロードキャストメッセージを送信することができ、システム情報ブロードキャストメッセージは、無認可無線周波数スペクトル帯域の異なる狭帯域領域を識別する。ランダムアクセス構成要素1145は、第1のキャリアのリソースを使って、第1のワイヤレスデバイスとのランダムアクセス手順を実施することができ、構成メッセージは、ランダムアクセス手順中に送信される。同期構成要素1150は、第1のキャリアのリソース上で、1つまたは複数の同期信号(たとえば、PSSまたはSSS)を送信することができる。
【０１１０】
図12は、本開示の様々な態様による、無認可スペクトルにおける、異なるデバイス能力向けの狭帯域通信をサポートするデバイス1205を含むシステム1200の図を示す。デバイス1205は、たとえば、図1を参照して上記で説明したような、基地局105の構成要素の例であってよく、またはそれを含んでよい。デバイス1205は、基地局狭帯域通信マネージャ1215と、プロセッサ1220と、メモリ1225と、ソフトウェア1230と、トランシーバ1235と、アンテナ1240と、ネットワーク通信マネージャ1245と、基地局間通信マネージャ1250とを含む、通信を送信および受信するための構成要素を含む、双方向音声およびデータ通信のための構成要素を含み得る。これらの構成要素は、1つまたは複数のバス(たとえば、バス1210)を介して電子通信し得る。デバイス1205は、1つまたは複数のUE115とワイヤレス通信することができる。
【０１１１】
プロセッサ1220は、インテリジェントハードウェアデバイス(たとえば、汎用プロセッサ、DSP、CPU、マイクロコントローラ、ASIC、FPGA、プログラマブル論理デバイス、個別ゲートもしくはトランジスタ論理構成要素、個別ハードウェア構成要素、またはそれらの任意の組合せ)を含み得る。いくつかのケースでは、プロセッサ1220は、メモリコントローラを使ってメモリアレイを操作するように構成され得る。他のケースでは、メモリコントローラは、プロセッサ1220の中に統合されてよい。プロセッサ1220は、様々な機能(たとえば、無認可スペクトルにおける異なるデバイス能力向けの狭帯域通信をサポートする機能またはタスク)を実施するためにメモリ内に記憶されたコンピュータ可読命令を実行するように構成され得る。
【０１１２】
メモリ1225は、RAMおよびROMを含み得る。メモリ1225は、実行されると、プロセッサに、本明細書で説明する様々な機能を実施させる命令を含むコンピュータ可読コンピュータ実行可能ソフトウェア1230を記憶することができる。いくつかのケースでは、メモリ1225は、特に、周辺構成要素またはデバイスとの相互作用など、基本的ハードウェアおよび/またはソフトウェア動作を制御し得るBIOSを含み得る。
【０１１３】
ソフトウェア1230は、無認可スペクトル中での異なるデバイス能力向けの狭帯域通信をサポートするためのコードを含む、本開示の態様を実装するためのコードを含み得る。ソフトウェア1230は、システムメモリまたは他のメモリなどの非一時的コンピュータ可読媒体内に記憶され得る。いくつかのケースでは、ソフトウェア1230は、プロセッサによって直接実行可能でないことがあるが、(たとえば、コンパイルおよび実行されたとき)本明細書で説明する機能をコンピュータに実施させてよい。
【０１１４】
トランシーバ1235は、上記で説明したように、1つまたは複数のアンテナ、ワイヤードリンク、またはワイヤレスリンクを介して、双方向に通信し得る。たとえば、トランシーバ1235は、ワイヤレストランシーバを表すことがあり、別のワイヤレストランシーバと双方向に通信し得る。トランシーバ1235は、パケットを変調し、変調されたパケットを送信のためにアンテナに与え、かつアンテナから受信されたパケットを復調するためのモデムも含み得る。いくつかのケースでは、ワイヤレスデバイスは、単一のアンテナ1240を含み得る。ただし、いくつかのケースでは、デバイスは複数のアンテナ1240を有することができ、複数のアンテナ1240は、複数のワイヤレス送信を並行して送信または受信することが可能であり得る。
【０１１５】
ネットワーク通信マネージャ1245は、(たとえば、1つまたは複数のワイヤードバックホールリンクを介して)コアネットワークとの通信を管理し得る。たとえば、ネットワーク通信マネージャ1245は、1つまたは複数のUE115などのクライアントデバイスのためのデータ通信の転送を管理し得る。
【０１１６】
基地局間通信マネージャ1250は、他の基地局105との通信を管理することができ、他の基地局105と協調してUE115との通信を制御するためのコントローラまたはスケジューラを含み得る。たとえば、基地局間通信マネージャ1250は、ビームフォーミングまたはジョイント送信などの様々な干渉軽減技法のために、UE115への送信のためのスケジューリングを協調させ得る。いくつかの例では、基地局間通信マネージャ1250は、基地局105間で通信を行うために、LTE/LTE-Aワイヤレス通信ネットワーク技術においてX2インターフェースを提供し得る。
【０１１７】
図13は、本開示の様々な態様による、無認可スペクトル中での異なるデバイス能力向けの狭帯域通信のための方法1300を示すフローチャートを示す。方法1300の動作は、本明細書で説明したように、UE115またはその構成要素によって実装され得る。たとえば、方法1300の動作は、図5〜図8を参照して説明したように、UE狭帯域通信マネージャによって実施されてよい。いくつかの例では、UE115は、以下で説明する機能を実施するようにデバイスの機能要素を制御するためのコードのセットを実行してよい。追加または代替として、UE115は、専用ハードウェアを使用して、以下で説明する機能の態様を実施し得る。
【０１１８】
ブロック1305において、UE115は、無認可無線周波数スペクトル帯域の第1の狭帯域領域中の第1のキャリアのリソース上で構成メッセージを受信し得る。ブロック1305の動作は、図1〜図4を参照して説明した方法に従って実施され得る。いくつかの例では、ブロック1305の動作の態様は、図5〜図8を参照して説明したような構成メッセージング構成要素によって実施され得る。
【０１１９】
ブロック1310において、UE115は、構成メッセージに少なくとも部分的に基づいて、無認可無線周波数スペクトル帯域の異なる狭帯域領域中に各々がある1つまたは複数の追加キャリアの構成を識別し得る。ブロック1310の動作は、図1〜図4を参照して説明した方法に従って実施され得る。いくつかの例では、ブロック1310の動作の態様は、図5〜図8を参照して説明したような構成識別器によって実施され得る。
【０１２０】
ブロック1315において、UE115は、第1のキャリアのリソース上で、無認可無線周波数スペクトル帯域の異なる狭帯域領域中の1つまたは複数の追加キャリア上でのリソースの割当てを受信し得る。ブロック1315の動作は、図1〜図4を参照して説明した方法に従って実施され得る。いくつかの例では、ブロック1315の動作の態様は、図5〜図8を参照して説明したようなリソース割当てマネージャによって実施され得る。
【０１２１】
ブロック1320において、UE115は、割当てに従って、無認可無線周波数スペクトル帯域の異なる狭帯域領域中の1つまたは複数の追加キャリア上で通信し得る。ブロック1320の動作は、図1〜図4を参照して説明した方法に従って実施され得る。いくつかの例では、ブロック1320の動作の態様は、図5〜図8を参照して説明したような狭帯域通信構成要素によって実施され得る。
【０１２２】
図14は、本開示の様々な態様による、無認可スペクトル中での異なるデバイス能力向けの狭帯域通信のための方法1400を示すフローチャートを示す。方法1400の動作は、本明細書で説明したように、UE115またはその構成要素によって実装され得る。たとえば、方法1400の動作は、図5〜図8を参照して説明したように、UE狭帯域通信マネージャによって実施されてよい。いくつかの例では、UE115は、以下で説明する機能を実施するようにデバイスの機能要素を制御するためのコードのセットを実行してよい。追加または代替として、UE115は、専用ハードウェアを使用して、以下で説明する機能の態様を実施し得る。
【０１２３】
ブロック1405において、UE115は、第1のキャリアのリソース上で、ワイヤレスデバイスの能力またはカテゴリの指示を送信し得る。ブロック1405の動作は、図1〜図4を参照して説明した方法に従って実施され得る。いくつかの例では、ブロック1405の動作の態様は、図5〜図8を参照して説明したようなデバイス能力マネージャによって実施され得る。
【０１２４】
ブロック1410において、UE115は、無認可無線周波数スペクトル帯域の第1の狭帯域領域中の第1のキャリアのリソース上で構成メッセージを受信し得る。ブロック1410の動作は、図1〜図4を参照して説明した方法に従って実施され得る。いくつかの例では、ブロック1410の動作の態様は、図5〜図8を参照して説明したような構成メッセージング構成要素によって実施され得る。
【０１２５】
ブロック1415において、UE115は、構成メッセージに少なくとも部分的に基づいて、無認可無線周波数スペクトル帯域の異なる狭帯域領域中に各々がある1つまたは複数の追加キャリアの構成を識別することができ、1つまたは複数の追加キャリアの構成は、ワイヤレスデバイスの能力またはカテゴリに基づく。ブロック1415の動作は、図1〜図4を参照して説明した方法に従って実施され得る。いくつかの例では、ブロック1415の動作の態様は、図5〜図8を参照して説明したような構成識別器によって実施され得る。
【０１２６】
ブロック1420において、UE115は、第1のキャリアのリソース上で、無認可無線周波数スペクトル帯域の異なる狭帯域領域中の1つまたは複数の追加キャリア上でのリソースの割当てを受信し得る。ブロック1420の動作は、図1〜図4を参照して説明した方法に従って実施され得る。いくつかの例では、ブロック1420の動作の態様は、図5〜図8を参照して説明したようなリソース割当てマネージャによって実施され得る。
【０１２７】
ブロック1425において、UE115は、割当てに従って、無認可無線周波数スペクトル帯域の異なる狭帯域領域中の1つまたは複数の追加キャリア上で通信し得る。ブロック1425の動作は、図1〜図4を参照して説明した方法に従って実施され得る。いくつかの例では、ブロック1425の動作の態様は、図5〜図8を参照して説明したような狭帯域通信構成要素によって実施され得る。
【０１２８】
図15は、本開示の様々な態様による、無認可スペクトル中での異なるデバイス能力向けの狭帯域通信のための方法1500を示すフローチャートを示す。方法1500の動作は、本明細書で説明したような基地局105またはその構成要素によって実施され得る。たとえば、方法1500の動作は、図9〜図12を参照して説明したような基地局狭帯域通信マネージャによって実施されてよい。いくつかの例では、基地局105は、以下で説明する機能を実施するようにデバイスの機能要素を制御するためのコードのセットを実行してよい。追加または代替として、基地局105は、専用ハードウェアを使用して、以下で説明する機能の態様を実施し得る。
【０１２９】
ブロック1505において、基地局105は、無認可無線周波数スペクトル帯域の第1の狭帯域領域中の第1のキャリアのリソース上で、構成メッセージを第1のワイヤレスデバイスに送信することができ、構成メッセージは、無認可無線周波数スペクトル帯域の異なる狭帯域領域中に各々がある追加キャリアの第1のセットの構成を識別する。ブロック1505の動作は、図1〜図4を参照して説明した方法に従って実施され得る。いくつかの例では、ブロック1505の動作の態様は、図9〜図12を参照して説明したような構成メッセージング構成要素によって実施され得る。
【０１３０】
ブロック1510において、基地局105は、第1のキャリアのリソース上で第1のワイヤレスデバイスに、無認可無線周波数スペクトル帯域の異なる狭帯域領域中の追加キャリアの第1のセット上でのリソースの割当てを送信し得る。ブロック1510の動作は、図1〜図4を参照して説明した方法に従って実施され得る。いくつかの例では、ブロック1510の動作の態様は、図9〜図12を参照して説明したようなリソース割当てマネージャによって実施され得る。
【０１３１】
ブロック1515において、基地局105は、割当てに従って、無認可無線周波数スペクトル帯域の異なる狭帯域領域中の追加キャリアの第1のセット上で第1のワイヤレスデバイスと通信し得る。ブロック1515の動作は、図1〜図4を参照して説明した方法に従って実施され得る。いくつかの例では、ブロック1515の動作の態様は、図9〜図12を参照して説明したような狭帯域通信構成要素によって実施され得る。
【０１３２】
図16は、本開示の様々な態様による、無認可スペクトル中での異なるデバイス能力向けの狭帯域通信のための方法1600を示すフローチャートを示す。方法1600の動作は、本明細書で説明したような基地局105またはその構成要素によって実施され得る。たとえば、方法1600の動作は、図9〜図12を参照して説明したような基地局狭帯域通信マネージャによって実施されてよい。いくつかの例では、基地局105は、以下で説明する機能を実施するようにデバイスの機能要素を制御するためのコードのセットを実行してよい。追加または代替として、基地局105は、専用ハードウェアを使用して、以下で説明する機能の態様を実施し得る。
【０１３３】
ブロック1605において、基地局105は、第1のキャリアのリソース上で第1のワイヤレスデバイスの能力またはカテゴリの指示を受信し得る。ブロック1605の動作は、図1〜図4を参照して説明した方法に従って実施され得る。いくつかの例では、ブロック1605の動作の態様は、図9〜図12を参照して説明したようなデバイス能力マネージャによって実施され得る。
【０１３４】
ブロック1610において、基地局105は、無認可無線周波数スペクトル帯域の第1の狭帯域領域中の第1のキャリアのリソース上で、構成メッセージを第1のワイヤレスデバイスに送信することができ、構成メッセージは、無認可無線周波数スペクトル帯域の異なる狭帯域領域中に各々がある追加キャリアの第1のセットの構成を識別し、追加キャリアの第1のセットの構成は、第1のワイヤレスデバイスの能力またはカテゴリに基づく。ブロック1610の動作は、図1〜図4を参照して説明した方法に従って実施され得る。いくつかの例では、ブロック1610の動作の態様は、図9〜図12を参照して説明したような構成メッセージング構成要素によって実施され得る。
【０１３５】
ブロック1615において、基地局105は、第1のキャリアのリソース上で第1のワイヤレスデバイスに、無認可無線周波数スペクトル帯域の異なる狭帯域領域中の追加キャリアの第1のセット上でのリソースの割当てを送信し得る。ブロック1615の動作は、図1〜図4を参照して説明した方法に従って実施され得る。いくつかの例では、ブロック1615の動作の態様は、図9〜図12を参照して説明したようなリソース割当てマネージャによって実施され得る。
【０１３６】
ブロック1620において、基地局105は、割当てに従って、無認可無線周波数スペクトル帯域の異なる狭帯域領域中の追加キャリアの第1のセット上で第1のワイヤレスデバイスと通信し得る。ブロック1620の動作は、図1〜図4を参照して説明した方法に従って実施され得る。いくつかの例では、ブロック1620の動作の態様は、図9〜図12を参照して説明したような狭帯域通信構成要素によって実施され得る。
【０１３７】
上記で説明した方法は、可能な実装形態について説明しており、動作およびステップは、他の実装形態が可能であるように並べ替えられ、またはさもなければ修正され得ることに留意されたい。さらに、図13、図14、図15、または図16に関して説明した方法1300、1400、1500、または1600のうちの2つ以上からの態様が組み合わされてよい。
【０１３８】
本明細書で説明した技法は、符号分割多元接続(CDMA)システム、時分割多元接続(TDMA)システム、周波数分割多元接続(FDMA)システム、直交周波数分割多元接続(OFDMA)システム、シングルキャリア周波数分割多元接続(SC-FDMA)システム、および他のシステムのような様々なワイヤレス通信システムに使用され得る。「システム」および「ネットワーク」という用語は、しばしば、互換的に使用される。CDMAシステムは、CDMA2000、ユニバーサル地上波無線アクセス(UTRA)などの無線技術を実装してよい。CDMA2000は、IS-2000、IS-95およびIS-856標準規格をカバーする。IS-2000リリースは、一般に、CDMA2000 1X、1Xなどと呼ばれる。IS-856(TIA-856)は、通常、CDMA2000 1xEV-DO、高速パケットデータ(HRPD)などと呼ばれる。UTRAは、ワイドバンドCDMA(WCDMA(登録商標))、およびCDMAの他の変形形態を含む。TDMAシステムは、モバイル通信用グローバルシステム(GSM(登録商標))のような無線技術を実装し得る。
【０１３９】
OFDMAシステムは、ウルトラモバイルブロードバンド(UMB)、発展型UTRA(E-UTRA)、米国電気電子技術者協会(IEEE)802.11(Wi-Fi)、IEEE802.16(WiMAX)、IEEE802.20、Flash-OFDMなどの無線技術を実装し得る。UTRAおよびE-UTRAは、ユニバーサルモバイルテレコミュニケーションズシステム(UMTS)の一部である。3GPP LTEおよびLTE-Aは、E-UTRAを使用するUMTSのリリースである。UTRA、E-UTRA、UMTS、LTE、LTE-A、およびGSM(登録商標)は、「第3世代パートナーシッププロジェクト」(3GPP)と称する団体からの文書に記載されている。CDMA2000およびUMBは、「第3世代パートナーシッププロジェクト2」(3GPP2)と称する団体からの文書に記載されている。本明細書で説明する技法は、上述されたシステムおよび無線技術ならびに他のシステムおよび無線技術に使用される場合がある。LTEシステムの態様が例として説明されることがあり、説明の大部分においてLTE用語が使用されることがあるが、本明細書で説明した技法はLTE適用例以外に適用可能である。
【０１４０】
本明細書で説明するそのようなネットワークを含むLTE/LTE-Aネットワークでは、eNBという用語は、概して、基地局を表すために使用され得る。本明細書で説明する単一または複数のワイヤレス通信システムは、異なるタイプのeNBが様々な地理的領域にカバレージを与える、異種LTE/LTE-Aネットワークを含み得る。たとえば、各eNBまたは基地局は、マクロセル、スモールセル、または他のタイプのセルに通信カバレージを提供し得る。「セル」という用語は、文脈に応じて、基地局、基地局に関連付けられるキャリアもしくはコンポーネントキャリア、またはキャリアもしくは基地局のカバレージエリア(たとえば、セクタなど)を表すために使用され得る。
【０１４１】
基地局は、トランシーバ基地局、無線基地局、アクセスポイント、無線トランシーバ、ノードB、eNB、ホームノードB、ホームeノードB、または何らかの他の好適な用語を含むことがあり、または当業者によってそのように呼ばれることがある。基地局のための地理的カバレージエリアは、カバレージエリアの一部分を構成するセクタに分割されてもよい。本明細書で説明した1つまたは複数のワイヤレス通信システムは、異なるタイプの基地局(たとえば、マクロセル基地局またはスモールセル基地局)を含んでよい。本明細書で説明したUEは、マクロeNB、スモールセルeNB、中継基地局などを含む、様々なタイプの基地局およびネットワーク機器と通信できる場合がある。異なる技術のための重複する地理的カバレージエリアがあってよい。
【０１４２】
マクロセルは、一般に、比較的大きい地理的エリア(たとえば、半径数キロメートル)を対象とし、ネットワークプロバイダのサービスに加入しているUEによる無制限アクセスを可能にする場合がある。スモールセルは、マクロセルと比較して、同じまたは異なる(たとえば、認可、無認可などの)周波数帯域内でマクロセルとして動作する場合がある低電力基地局である。スモールセルは、様々な例によれば、ピコセル、フェムトセル、およびマイクロセルを含む場合がある。ピコセルは、たとえば、小さい地理的エリアをカバーすることができ、ネットワークプロバイダのサービスに加入しているUEによる無制限アクセスを可能にすることができる。フェムトセルは、小さい地理的エリア(たとえば、自宅)をカバーすることができ、フェムトセルとの関連付けを有するUE(たとえば、限定加入者グループ(CSG)内のUE、自宅内のユーザ用のUEなど)による制限付きアクセスを提供することができる。マクロセル用のeNBは、マクロeNBと呼ばれることがある。スモールセル用のeNBは、スモールセルeNB、ピコeNB、フェムトeNB、またはホームeNBと呼ばれることがある。eNBは、1つまたは複数(たとえば、2つ、3つ、4つなど)のセル(たとえば、コンポーネントキャリア)をサポートし得る。UEは、マクロeNB、スモールセルeNB、中継基地局などを含む、様々なタイプの基地局およびネットワーク機器と通信することが可能であり得る。
【０１４３】
本明細書で説明する単一または複数のワイヤレス通信システムは、同期動作または非同期動作をサポートし得る。同期動作の場合、基地局は、類似のフレームタイミングを有することがあり、異なる基地局からの送信は、時間的にほぼ整合されることがある。非同期動作の場合、各基地局は異なるフレームタイミングを有することがあり、それぞれに異なる基地局からの送信は時間的に整合されないことがある。本明細書で説明する技法は、同期動作または非同期動作のいずれに使用されてもよい。
【０１４４】
本明細書で説明したダウンリンク送信は、順方向リンク送信と呼ばれることもあり、アップリンク送信は、逆方向リンク送信と呼ばれることもある。たとえば、図1および図2のワイヤレス通信システム100および200を含む、本明細書で説明した各通信リンクは、1つまたは複数のキャリアを含んでよく、ここで、各キャリアは、複数のサブキャリア(たとえば、異なる周波数の波形信号)で構成される信号であり得る。
【０１４５】
添付の図面に関して本明細書に記載した説明は、例示的な構成を表すものであり、実装される場合があるかまたは特許請求の範囲内にあるすべての例を表すものではない。本明細書で使用する「例示的」という用語は、「例、事例、または例示として働く」ことを意味し、「好ましい」または「他の例よりも有利な」を意味するものではない。詳細な説明は、説明した技法の理解を与えるための具体的な詳細を含む。しかしながら、これらの技法は、これらの具体的な詳細なしに実践されてよい。いくつかの事例では、説明した例の概念を不明瞭にすることを回避するために、よく知られている構造およびデバイスがブロック図の形態で示される。
【０１４６】
添付の図では、同様の構成要素または特徴は、同じ参照ラベルを有する場合がある。さらに、同じタイプの様々な構成要素が、参照ラベルの後に、ダッシュおよび類似の構成要素の間で区別する第2のラベルを続けることによって区別されることがある。第1の参照ラベルのみが本明細書で使用される場合、説明は、第2の参照ラベルにかかわらず、同じ第1の参照ラベルを有する類似の構成要素のうちのいずれにも適用可能である。
【０１４７】
本明細書で説明した情報および信号は、様々な異なる技術および技法のいずれかを使用して表され得る。たとえば、上記の説明全体にわたって言及される場合があるデータ、命令、コマンド、情報、信号、ビット、シンボル、およびチップは、電圧、電流、電磁波、磁場もしくは磁性粒子、光場もしくは光学粒子、またはそれらの任意の組合せによって表されてもよい。
【０１４８】
本明細書の本開示に関して説明する様々な例示的なブロックおよびモジュールは、汎用プロセッサ、DSP、ASIC、FPGAもしくは他のプログラマブル論理デバイス、個別ゲートもしくはトランジスタ論理、個別ハードウェア構成要素、または本明細書で説明する機能を実施するように設計されたそれらの任意の組合せを用いて実装または実施される場合がある。汎用プロセッサはマイクロプロセッサであってよいが、代替として、プロセッサは、任意の従来型プロセッサ、コントローラ、マイクロコントローラ、またはステートマシンであってもよい。プロセッサはまた、コンピューティングデバイスの組合せ(たとえば、DSPとマイクロプロセッサとの組合せ、複数のマイクロプロセッサ、DSPコアと連携する1つもしくは複数のマイクロプロセッサ、または任意の他のそのような構成)として実装され得る。
【０１４９】
本明細書で説明した機能は、ハードウェア、プロセッサによって実行されるソフトウェア、ファームウェア、またはそれらの組合せで実装され得る。プロセッサによって実行されるソフトウェアで実装される場合、機能は、1つまたは複数の命令またはコードとして、コンピュータ可読媒体上に記憶されてよく、またはコンピュータ可読媒体を介して送信されてよい。他の例および実装形態は、本開示および添付の特許請求の範囲内にある。たとえば、ソフトウェアの性質に起因して、上記で説明した機能は、プロセッサ、ハードウェア、ファームウェア、ハードワイヤリング、またはこれらのうちのいずれかの組合せによって実行されるソフトウェアを使用して実装されることが可能である。機能を実施する特徴はまた、異なる物理的位置において機能の部分が実装されるように分散されることを含めて、様々な位置に物理的に配置されてもよい。
【０１５０】
請求項を含む本明細書で使用されるように、「および/または」という用語は、2つ以上の項目からなるリストにおいて使われるとき、列挙される項目のうちどの1つも、それだけで利用されてよく、または列挙される項目のうち2つ以上からなるどの組合せも利用されてよいことを意味する。たとえば、組成物が構成要素A、B、および/またはCを含むものとして説明される場合、組成物は、Aのみ、Bのみ、Cのみ、AとBとの組合せ、AとCとの組合せ、BとCとの組合せ、またはAとBとCとの組合せを含むことができる。特許請求の範囲を含めて、本明細書で使用される場合、項目の列挙(たとえば、「のうちの少なくとも1つ」または「のうちの1つまたは複数」などの句で終わる項目の列挙)中で使用される「または」は、たとえば、項目の列挙「のうちの少なくとも1つ」を指す句が単一のメンバーを含むそれらの項目の任意の組合せを指すような包含的列挙を示す。一例として、「A、B、またはCのうちの少なくとも1つ」は、A、B、C、A-B、A-C、B-C、およびA-B-C、ならびに複数の同じ要素を用いた任意の組合せ(たとえば、A-A、A-A-A、A-A-B、A-A-C、A-B-B、A-C-C、B-B、B-B-B、B-B-C、C-C、およびC-C-C、またはA、B、およびCの任意の他の並び)をカバーすることを意図している。また、本明細書で使用される「に基づいて」という句は、条件の閉集合を指すものと解釈されるべきではない。たとえば、「条件Aに基づいて」として説明される例示的なステップは、本開示の範囲から逸脱することなく、条件Aと条件Bの両方に基づいてよい。言い換えれば、本明細書で使用する「に基づいて」という句は、「に少なくとも部分的に基づいて」という句と同様に解釈しなければならない。
【０１５１】
コンピュータ可読媒体は、ある場所から別の場所へのコンピュータプログラムの転送を容易にする任意の媒体を含む、非一時的コンピュータ記憶媒体と通信媒体の両方を含む。非一時的記憶媒体は、汎用または専用コンピュータによってアクセスされ得る任意の利用可能な媒体であり得る。限定ではなく例として、非一時的コンピュータ可読媒体は、RAM、ROM、電気的消去可能プログラマブル読取り専用メモリ(EEPROM)、コンパクトディスク(CD)ROMまたは他の光ディスクストレージ、磁気ディスクストレージまたは他の磁気ストレージデバイス、あるいは、命令またはデータ構造の形態の所望のプログラムコード手段を担持または記憶するために使用され得、汎用コンピュータもしくは専用コンピュータまたは汎用プロセッサもしくは専用プロセッサによってアクセスされ得る任意の他の非一時的媒体を備え得る。また、あらゆる接続が、コンピュータ可読媒体と適切に呼ばれる。たとえば、ソフトウェアが、同軸ケーブル、光ファイバーケーブル、ツイストペア、デジタル加入者回線(DSL)、または赤外線、無線、およびマイクロ波などのワイヤレス技術を使用してウェブサイト、サーバ、または他のリモートソースから送信される場合、同軸ケーブル、光ファイバーケーブル、ツイストペア、デジタル加入者回線(DSL)、または赤外線、無線、およびマイクロ波などのワイヤレス技術は、媒体の定義に含まれる。本明細書では、ディスク(disk)およびディスク(disc)は、CD、レーザーディスク(登録商標)(disc)、光ディスク(disc)、デジタル多用途ディスク(disc)(DVD)、フロッピーディスク(disk)およびBlu-ray(登録商標)ディスク(disc)を含み、ディスク(disk)は通常、データを磁気的に再生し、ディスク(disc)は、レーザーを用いてデータを光学的に再生する。上記の組合せも、コンピュータ可読媒体の範囲内に含まれる。
【０１５２】
本明細書における説明は、当業者が本開示を作成または使用することを可能にするために与えられる。本開示に対する様々な修正は、当業者に容易に明らかになり、本明細書で定義する一般原理は、本開示の範囲を逸脱することなく他の変形形態に適用され得る。したがって、本開示は、本明細書で説明した例および設計に限定されず、本明細書で開示する原理および新規の特徴と一致する最も広い範囲を与えられるべきである。
【符号の説明】
【０１５３】
100  ワイヤレス通信システム、ワイヤレスシステム
105  基地局、eノードB(eNB)
110  地理的カバレージエリア
115  ユーザ機器(UE)
125  通信リンク
130  コアネットワーク
132  バックホールリンク
134  バックホールリンク
200  ワイヤレス通信システム
205  アンカーキャリア
210  非アンカーキャリア
305  キャリア構成、無認可無線周波数スペクトル帯域
310  アンカーキャリア
315  非アンカーキャリア
320  非アンカーキャリア
505  ワイヤレスデバイス
510  受信機
515  UE狭帯域通信マネージャ
520  送信機
605  ワイヤレスデバイス
610  受信機
615  UE狭帯域通信マネージャ
620  送信機
625  構成メッセージング構成要素
630  構成識別器
635  リソース割当てマネージャ
640  狭帯域通信構成要素
715  UE狭帯域通信マネージャ
720  構成メッセージング構成要素
725  構成識別器
730  リソース割当てマネージャ
735  狭帯域通信構成要素
740  デバイス能力マネージャ
745  システム情報マネージャ
750  ランダムアクセス構成要素
755  同期構成要素
805  デバイス
810  バス
815  UE狭帯域通信マネージャ
820  プロセッサ
825  メモリ
830  ソフトウェア
835  トランシーバ
840  アンテナ
845  I/Oコントローラ
905  ワイヤレスデバイス
910  受信機
915  基地局狭帯域通信マネージャ
920  送信機
1005  ワイヤレスデバイス
1010  受信機
1015  基地局狭帯域通信マネージャ
1020  送信機
1025  構成メッセージング構成要素
1030  リソース割当てマネージャ
1035  狭帯域通信構成要素
1115  基地局狭帯域通信マネージャ
1120  構成メッセージング構成要素
1125  リソース割当てマネージャ
1130  狭帯域通信構成要素
1135  デバイス能力マネージャ
1140  システム情報マネージャ
1145  ランダムアクセス構成要素
1150  同期構成要素
1200  システム
1205  デバイス
1210  バス
1215  基地局狭帯域通信マネージャ
1220  プロセッサ
1225  メモリ
1230  ソフトウェア、コンピュータ可読コンピュータ実行可能ソフトウェア
1235  トランシーバ
1240  アンテナ
1245  ネットワーク通信マネージャ
1250  基地局間通信マネージャ
【図１】
2019532558.tif 000003
【図２】
2019532558.tif 000004
【図３】
2019532558.tif 000005
【図４】
2019532558.tif 000006
【図５】
2019532558.tif 000007
【図６】
2019532558.tif 000008
【図７】
2019532558.tif 000009
【図８】
2019532558.tif 000010
【図９】
2019532558.tif 000011
【図１０】
2019532558.tif 000012
【図１１】
2019532558.tif 000013
【図１２】
2019532558.tif 000014
【図１３】
2019532558.tif 000015
【図１４】
2019532558.tif 000016
【図１５】
2019532558.tif 000017
【図１６】
2019532558.tif 000018
【国際調査報告】
2019532558.tif 000019
2019532558.tif 000020